(57)【要約】      （修正有）【課題】薬剤、生物活性組成物、および同等物のような透過物の経皮的送達のための、改良された方法およびデバイスを提供する。【解決手段】被験体の組織膜の中への少なくとも１つの透過組成物の送達のための経皮的透過物送達システムは、使い捨て基材４０であって、第１の解放ライナー１１０の底面の少なくとも一部分が基材の上面に接続される、使い捨て基材と、パッチ１００であって、第１の解放ライナーの頂面から選択的取り外し可能な裏地層１０２および貯蔵部１０４を有する、パッチとを含む。接続された位置において、パッチの裏地層の第１の部分は、基材の穿孔域から離れた位置で、第１の解放ライナーの頂面に解放可能に取り付けられる。【選択図】図１
2014158944.tif 000002
【特許請求の範囲】
【請求項１】
被験体の組織膜の中への少なくとも１つの透過物の送達のための経皮的透過物送達システムであって、該システムは、
上部基材表面を有し、かつ穿孔域を画定する、使い捨て基材と、
頂面および反対側の底面を有する第１の解放ライナーであって、該第１の解放ライナーの該底面の少なくとも一部分は、該上部基材表面に接続される、第１の解放ライナーと、
該第１の解放ライナーの該頂面から選択的に取り外し可能なパッチであって、
上面および反対側の下面を有する裏地層と、
該裏地層の該下面の少なくとも一部分の上に取り付けられ、かつ該少なくとも１つの透過物を解放可能に含有するように構成される、貯蔵部と、
を備える、パッチと、
を備え、
接続された位置において、該裏地層の第１の部分は、該基材の該穿孔域から離れた位置で、該第１の解放ライナーの該頂面に解放可能に取り付けられ、該接続された位置において、該裏地層の第２の部分は、折り畳み位置に折り畳まれ、その位置において該裏地層の該第２の部分の該下面は、該基材の該上部基材表面から離れて外側を向く、
システム。
【請求項２】
前記パッチは、該パッチの前記裏地層の前記下面の少なくとも一部分の上に配置される、皮膚接着剤層をさらに備える、請求項１に記載のシステム。
【請求項３】
前記裏地層の前記第２の部分の上に配置される前記皮膚接着剤の一部分に解放可能に取り付け可能である、第２の解放ライナーをさらに備える、請求項２に記載のシステム。
【請求項４】
前記皮膚接着剤層から前記第２の解放ライナーを除去するために必要とされる力は、前記第１の解放ライナーの前記頂面から前記裏地層の前記第１の部分を除去するために必要とされる力よりも小さい、請求項３に記載のシステム。
【請求項５】
前記第１の解放ライナーの前記頂面は、その上に配置される解放被覆を有する、請求項４に記載のシステム。
【請求項６】
前記解放被覆は、シリコーン、白金触媒シリコーン、フルオロシリコーン、およびペルフルオロカーボンベースのポリマーから成る群のうちから選択される、請求項５に記載のシステム。
【請求項７】
前記基材の前記上面と前記第１の解放ライナーの前記底面との間に配置される接着剤層をさらに備える、請求項４または請求項５に記載のシステム。
【請求項８】
接続された位置において、前記裏地層の前記第１の部分は、前記基材の前記穿孔域に折り畳まれて置かれる、請求項１に記載のシステム。
【請求項９】
折り目が、前記穿孔域から所定の距離だけ離れている、請求項２に記載のシステム。
【請求項１０】
前記貯蔵部の縁は、前記折り目に実質的に隣接するような距離にある、請求項９に記載のシステム。
【請求項１１】
前記貯蔵部は、前記折り目から所定の距離だけ離れている、請求項９に記載のシステム。
【請求項１２】
前記接続された位置において、前記裏地層の前記第１の部分の一部分は、前記裏地層の前記第２の部分の下にある、請求項１に記載のシステム。
【請求項１３】
縁表面を有する支持部材をさらに備える、請求項１に記載のシステムであって、前記接続された位置において、該支持部材が、前記裏地層の前記第２の部分の前記上面と該裏地層の前記第１の部分の該上面の一部分との間に配置されるように、該支持部材は、該裏地層の該上面の複数部分の上に解放可能に取り付けられる、システム。
【請求項１４】
前記支持部材の前記縁表面は、前記折り目に隣接して配置される、請求項１３に記載のシステム。
【請求項１５】
前記支持部材は、前記縁表面を形成するようにそれ自身の上に折り畳まれる一部分を有する、実質的に平面の部材を備える、請求項１３に記載のシステム。
【請求項１６】
それ自身の上に折り畳まれる前記一部分は、接着剤で定位置に固定される、請求項１５に記載のシステム。
【請求項１７】
前記支持部材は、該支持部材を通って延在する少なくとも１つの穴を画定し、該支持部材は、該少なくとも１つの穴の位置にある前記裏地層の重複部分を加熱溶接することによって、該裏地層に対して選択的に固定される、請求項１３に記載のシステム。
【請求項１８】
前記裏地層の前記第２の部分の前記上面と該裏地層の前記第１の部分の前記上面の一部分との間に配置される、接着テープをさらに備え、それによって、前記パッチが皮膚上で折り畳まれるときには、該接着テープが該裏地層から剥がれる、請求項１に記載のシステム。
【請求項１９】
前記基材は、下部基材表面と前記上部基材表面との間に延在する導管を画定し、該導管の開放端は、前記穿孔域上に画定される、請求項３に記載のシステム。
【請求項２０】
前記基材は、前記上部基材表面上に少なくとも１つのチャネルを画定し、該少なくとも１つのチャネルは、前記穿孔域の中に画定される、請求項１９に記載のシステム。
【請求項２１】
前記少なくとも１つのチャネルは、前記導管と接続する、請求項２０に記載のシステム。
【請求項２２】
前記基材は、該基材の前記上部基材表面上に隆起部を画定する、請求項２１に記載のシステム。
【請求項２３】
前記基材は、該基材の前記下部基材表面上に複数の雌型陥凹部を画定する、請求項１に記載のシステム。
【請求項２４】
前記組織膜に少なくとも１つの微小孔を形成するための、前記基材上に取り付けられる手段をさらに備える、請求項１に記載のシステムであって、少なくとも１つの微小孔を形成するための該手段の少なくとも一部分は、前記穿孔域の中に配置される、システム。
【請求項２５】
少なくとも１つの微小孔を形成するための前記手段は、ワイヤ導体、堆積された導電材料、機械加工導電材料、レーザ切断導電材料、接着フォイル、電気めっき材料、スクリーン印刷材料、およびエッチング加工導電材料から成る群のうちから選択される、少なくとも１つのフィラメントを備える、請求項２４に記載のシステム。
【請求項２６】
少なくとも１つの微小孔を形成するための前記手段は、前記少なくとも１つのフィラメントに刺激を印加し、該刺激は、該少なくとも１つのフィラメントによって該少なくとも１つの微小孔の形成を開始する、請求項２４に記載のシステム。
【請求項２７】
前記刺激は、熱パルスである、請求項２６に記載のシステム。
【請求項２８】
前記刺激は、電気パルスである、請求項２６に記載のシステム。
【請求項２９】
前記刺激は、ＲＦパルスである、請求項２６に記載のシステム。
【請求項３０】
前記基材は、前記下部基材表面から延在し、かつ少なくとも１つの微小孔を形成するための前記手段のそれぞれの部分の上にある、一対のポートを画定する、請求項２５に記載のシステム。
【請求項３１】
前記基材は、前記下部基材表面から延在し、かつ少なくとも１つの微小孔を形成するための前記手段のそれぞれの部分の上にある、一対のポートを画定する、請求項２６に記載のシステム。
【請求項３２】
少なくとも１つの微小孔を形成するための前記手段は、熱エネルギーを前記組織生体膜へ直接接触を介して伝導的に送達し、前記微小孔を形成するために十分に深い、その膜のある部分のアブレーションを引き起こすことが可能なフィラメント、電気エネルギーを組織膜へ直接接触を介して送達し、該微小孔を形成するために十分に深い、該膜のある部分のアブレーションを引き起こすことが可能なプローブ要素、電気機械的アプリケータ、マイクロランセット、微小針またはランセットの配列、音響エネルギーアブレータ、レーザアブレーションシステム、および高圧力流体ジェット穿刺器から成る群のうちから選択される、請求項２４に記載のシステム。
【請求項３３】
少なくとも１つの微小孔を形成するための前記手段は、
それぞれの点において前記被験体の前記皮膚に適用されるように適合される、前記基材の前記穿孔域の中に取り付け可能な複数の電極と、
該複数の電極のうちの２つ以上の間に電気エネルギーを印加して、第１の期間中に角質層の領域のアブレーションを引き起こし、該第１の期間に続く第２の期間中に、アブレーションされた領域を経由する物質の通過を助長するように適合される、電源と、
を備える、
請求項２４に記載のシステム。
【請求項３４】
少なくとも１つの微小孔を形成するための前記手段は、
それぞれの点において前記被験体の前記皮膚に適用されるように適合される、前記基材の前記穿孔域中に取り付け可能な複数の電極と、
該複数の電極のうちの２つ以上の間に交流電流を印加して、前記組織膜のアブレーションを引き起こすように適合される、電源と、
を備える、
請求項２４に記載のシステム。
【請求項３５】
前記少なくとも１つの透過物は、薬剤または生物学的活性成分である、請求項１に記載のシステム。
【請求項３６】
内部空洞を画定する本体と、
駆動電子機器および電源を備えるコントローラ基板であって、該コントローラ基板は、該内部空洞内に配置される、コントローラ基板と、
前記基材を解放可能に受容するインターフェースと、
を備える、アプリケータをさらに備える、
請求項２４に記載のシステム。
【請求項３７】
前記アプリケータは、真空源をさらに備え、前記インターフェースは、該真空源と接続するポートを画定し、前記基材が該インターフェースに取り付けられる接続された位置において、該インターフェースの該ポートは、該基材の前記導管と流体接続する、請求項３６に記載のシステム。
【請求項３８】
前記コントローラ基板は、前記少なくとも１つの微小孔を形成するための前記手段の選択的制御のために構成される、請求項３６に記載のシステム。
【請求項３９】
前記アプリケータは、前記少なくとも１つの微小孔を形成するための前記手段のそれぞれの部分と選択的に接続する陽極および陰極をさらに備える、請求項３６に記載のシステム。
【請求項４０】
前記陽極は、前記アプリケータの前記インターフェースから延在する陽極ピンを備え、前記陰極は、該アプリケータの該インターフェースから延在する陰極ピンを備える、請求項３９に記載のシステム。
【請求項４１】
前記接続された位置において、前記陽極ピンおよび前記陰極ピンは、前記少なくとも１つの微小孔を形成するための前記手段のそれぞれの部分と電気的に接続する、請求項４０に記載のシステム。
【請求項４２】
被験体の組織膜の中への少なくとも１つの透過物の送達のための経皮的透過物送達システムであって、該システムは、
上部基材表面を有し、かつ穿孔域を画定する、使い捨て基材であって、該使い捨て基材は、該穿孔域の中に配置される複数のフィラメントを有するフィラメント配列を備え、各フィラメントは、該組織膜に微小孔を形成するように構成される、使い捨て基材と、
頂面および反対側の底面を有する第１の解放ライナーであって、該第１の解放ライナーの該底面の少なくとも一部分は、該上部基材表面に接続される、第１の解放ライナーと、
該第１の解放ライナーの該頂面から選択的に取り外し可能なパッチであって、
上面および反対側の下面を有する裏地層と、
該裏地層の該下面の少なくとも一部分の上に取り付けられ、かつ該少なくとも１つの透過物を解放可能に含有するように構成される、貯蔵部と、
を備える、パッチと、
を備え、
接続された位置において、該裏地層の第１の部分は、該基材の該穿孔域から離れた位置で、該第１の解放ライナーの該頂面に解放可能に取り付けられ、該接続された位置において、該裏地層の第２の部分は、折り畳み位置に折り畳まれ、その位置において該裏地層の該第２の部分の該下面は、該基材の該上部基材表面から離れて外側を向く、
システム。
【請求項４３】
前記フィラメント配列は、前記上部基材表面の一部分に取り付けられ、前記基材は、前記穿孔域の中の該フィラメント配列の一部分が露出されるように、該フィラメント配列の頂面に取り付け、かつその上に横たわるように構成される裏地をさらに備える、請求項４２に記載のシステム。
【請求項４４】
前記基材は、前記裏地と前記フィラメント配列との間に配置される接着剤層をさらに備える、請求項４３に記載のシステム。
【請求項４５】
前記フィラメント配列は前記基材に封入され、前記穿孔域の中の該フィラメント配列の一部分が露出される、請求項４２に記載のシステム。
【請求項４６】
前記フィラメント配列は、二重クラッドフォイル材料である、請求項４３に記載のシステム。
【請求項４７】
前記二重クラッドフォイル材料は、銅の層と、ステンレス鋼の下位層とを備える、請求項４６に記載のシステム。
【請求項４８】
前記二重クラッドフォイル材料は、厚さ寸法で約１０μｍ〜３００μｍの間にある、請求項４７に記載のシステム。
【請求項４９】
前記ステンレス鋼の層は、前記二重クラッドフォイル材料の前記厚さの約５〜約２５パーセントの間を備える、請求項４８に記載のシステム。
【請求項５０】
前記フィラメント配列は、化学フォトエッチングプロセスによって形成される、請求項４６に記載のシステム。
【請求項５１】
前記フィラメントは、実質的に均一である、請求項５０に記載のシステム。
【請求項５２】
前記フィラメント配列は、該フィラメント配列の前記フィラメントにエネルギーを分配するための手段を備える、請求項４３に記載のシステム。
【請求項５３】
前記フィラメントにエネルギーを分配するための前記手段は、少なくとも１つの電気バンクを備え、各電気バンクは関連するフィラメントを有する、請求項５２に記載のシステム。
【請求項５４】
前記少なくとも１つの電気バンクは、複数の電気バンクを備える、請求項５３に記載のシステム。
【請求項５５】
前記穿孔域は、第１の部分および鏡映関係にある第２の部分を有し、各電気バンクの複数部分は、該穿孔域の該第１および第２の両方の部分に配置される、請求項５４に記載の
システム。
【請求項５６】
前記パッチは、該パッチの前記裏地層の前記下面の少なくとも一部分の上に配置される皮膚接着剤層をさらに備える、請求項４２に記載のシステム。
【請求項５７】
前記裏地層の前記第２の部分の上に配置される前記皮膚接着剤の一部分に解放可能に取り付け可能である、第２の解放ライナーをさらに備える、請求項５６に記載のシステム。
【請求項５８】
前記皮膚接着剤層から前記第２の解放ライナーを除去するために必要とされる力は、前記第１の解放ライナーの前記頂面から前記裏地層の前記第１の部分を除去するために必要とされる力よりも小さい、請求項５７に記載のシステム。
【請求項５９】
前記第１の解放ライナーの頂面は、その上に配置される解放被覆を有する、請求項５８に記載のシステム。
【請求項６０】
前記基材の前記上部基材表面と前記第１の解放ライナーの前記底面との間に配置される接着剤層をさらに備える、請求項５８または請求項５９に記載のシステム。
【請求項６１】
前記接続された位置において、前記裏地層の前記第１の部分は、前記基材の前記穿孔域に折り畳まれて置かれる、請求項４２に記載のシステム。
【請求項６２】
折り目が、前記穿孔域から所定の距離だけ離れている、請求項６１に記載のシステム。
【請求項６３】
前記貯蔵部の縁は、前記折り目に隣接して位置する、請求項６２に記載のシステム。
【請求項６４】
前記接続された位置において、前記裏地層の前記第１の部分の一部分は、該裏地層の前記第２の部分の下にある、請求項４２に記載のシステム。
【請求項６５】
縁表面を有する支持部材をさらに備える、請求項４２に記載のシステムであって、前記接続された位置において、該支持部材が、前記裏地層の前記第２の部分の前記上面と該裏地層の前記第１の部分の該上面の一部分との間に配置されるように、該支持部材は、該裏地層の該上面の複数部分の上に解放可能に取り付けられる、システム。
【請求項６６】
前記支持部材の前記縁表面は、折り目に隣接して位置する、請求項６５に記載のシステム。
【請求項６７】
前記支持部材は、前記縁表面を形成するようにそれ自身の上に折り畳まれる一部分を有する、実質的に平面の部材を備える、請求項６５に記載のシステム。
【請求項６８】
それ自身の上に折り畳まれる前記一部分は、接着剤で定位置に固定される、請求項６７に記載のシステム。
【請求項６９】
前記基材は、下部基材表面と前記上部基材表面との間に延在する導管を画定し、該導管の開放端は、前記穿孔域の上に画定される、請求項５７に記載のシステム。
【請求項７０】
前記基材は、前記基材の前記上面上に少なくとも１つのチャネルを画定し、該少なくとも１つのチャネルは、前記穿孔域の上に画定され、該少なくとも１つのチャネルは、前記導管と接続する、請求項６９に記載のシステム。
【請求項７１】
前記複数のフィラメントに刺激を印加するための手段をさらに備える、請求項４２に記載のシステムであって、該刺激は、該それぞれのフィラメントの各々によって微小孔の形成を開始する、請求項４２に記載のシステム。
【請求項７２】
前記刺激は、熱パルス、電気パルス、およびＲＦパルスから成る群のうちから選択される、請求項７１に記載のシステム。
【請求項７３】
前記基材は、下面から延在し、かつ前記フィラメント配列のそれぞれの部分と接続する、一対のポートを画定する、請求項７１に記載のシステム。
【請求項７４】
前記少なくとも１つの透過物は、薬剤または生物学的活性成分である、請求項４２に記載のシステム。
【請求項７５】
内部空洞を画定する本体と、
駆動電子機器および電源を備えるコントローラ基板であって、該コントローラ基板は、
該内部空洞内に配置される、コントローラ基板と、
前記基材を解放可能に受容するインターフェースと、
を備える、アプリケータをさらに備える、
請求項７４に記載のシステム。
【請求項７６】
前記基材は、該基材の前記上部基材表面上に少なくとも１つのチャネルを画定し、該少なくとも１つのチャネルは前記穿孔域の下にあり、前記アプリケータは、真空源をさらに備え、前記インターフェースは、該真空源と接続するポートを画定し、該基材が該インターフェースに取り付けられる接続された位置において、該インターフェースの該ポートは、該基材の導管と流体的に接続する、請求項７５に記載のシステム。
【請求項７７】
前記コントローラ基板は、刺激を印加するための手段の選択的制御のために構成される、請求項７５に記載のシステム。
【請求項７８】
前記アプリケータは、陽極および陰極をさらに備える、請求項７７に記載のシステム。
【請求項７９】
前記接続された位置において、前記陽極および前記陰極は、前記フィラメント配列のそれぞれの部分と電気的に接続する、請求項７８に記載のシステム。
【請求項８０】
被験体の組織膜の中への少なくとも１つの透過物の送達のための経皮的透過物送達システムであって、該システムは、
上部基材表面を有し、かつ穿孔域を画定する、使い捨て基材であって、該使い捨て基材は、該穿孔域の中に配置される複数のフィラメントを有するフィラメント配列を備え、各フィラメントは、該組織膜に微小孔を形成するように構成される、使い捨て基材と、
頂面および反対側の底面を有する第１の解放ライナーであって、該第１の解放ライナーの該底面の少なくとも一部分は、該上部基材表面に接続される、第１の解放ライナーと、
該第１の解放ライナーの該頂面から選択的に取り外し可能なパッチであって、
上面および反対側の下面を有する裏地層と、
該裏地層の該下面の少なくとも一部分の上に取り付けられ、かつ該少なくとも１つの透過物を解放可能に含有するように構成される、貯蔵部と、
を備える、パッチと、
を備え、
接続された位置において、該パッチの該裏地層の少なくとも一部分は、該基材の該穿孔域から離れた位置で、該第１の解放ライナーの該頂面に解放可能に取り付けられる、
システム。
【請求項８１】
前記フィラメント配列は、前記上部基材表面の一部分に取り付けられ、前記基材は、前記穿孔域の中の該フィラメント配列の一部分が露出されるように、該フィラメント配列の頂面に取り付け、かつその上に横たわるように構成される裏地をさらに備え、該裏地は、前記第１の解放ライナーの少なくとも一部分の下にある、請求項８０に記載のシステム。
【請求項８２】
前記フィラメント配列は前記基材に封入され、前記穿孔域の中の該フィラメント配列の前記一部分が露出される、請求項８０に記載のシステム。
【請求項８３】
前記フィラメント配列は、二重クラッドフォイル材料である、請求項８１に記載のシステム。
【請求項８４】
前記二重クラッドフォイル材料は、銅の層と、ステンレス鋼の下位層とを備える、請求項８３に記載のシステム。
【請求項８５】
前記二重クラッドフォイル材料は、厚さ寸法で約１０μｍ〜３００μｍの間にある、請求項８４に記載のシステム。
【請求項８６】
前記ステンレス鋼の層は、前記二重クラッドフォイル材料の前記厚さの約５〜約２５パーセントの間を備える、請求項８５に記載のシステム。
【請求項８７】
前記フィラメントは、実質的に均一である、請求項８１に記載のシステム。
【請求項８８】
前記フィラメント配列は、該フィラメント配列の前記フィラメントにエネルギーを分配するための手段を備える、請求項８１に記載のシステム。
【請求項８９】
前記フィラメントにエネルギーを分配するための前記手段は、少なくとも１つの電気バンクを備え、各電気バンクは関連するフィラメントを有する、請求項８８に記載のシステム。
【請求項９０】
前記少なくとも１つの電気バンクは、複数の電気バンクを備える、請求項８９に記載のシステム。
【請求項９１】
前記穿孔域は、第１の部分および鏡映関係にある第２の部分を有し、各電気バンクの複数部分は、該穿孔域の該第１および第２の両方の部分に配置される、請求項９０に記載のシステム。
【請求項９２】
前記パッチは、該パッチの前記裏地層の前記下面の少なくとも一部分の上に配置される皮膚接着剤層をさらに備える、請求項８０に記載のシステム。
【発明の詳細な説明】
【技術分野】
【０００１】
（関連出願の参照）
本出願は、米国仮特許出願第６０／８８６，０３９号（２００７年１月２２日出願）に対する優先権を主張し、かつ、米国特許出願第１０／３８４，７６３号（２００３年３月１１日出願）の一部継続出願であり、該米国特許出願はまた、米国仮特許出願第６０／３６３，０２２号（２００２年３月１１日出願）に対する優先権を主張する。これらの出願は、全体として本明細書において参考として援用される。
【０００２】
（技術分野）
本発明は、被験体の皮膚を経由する薬剤または他の透過物の経皮的送達のためのシステムおよび方法に関する。より具体的には、本発明は、被験体の生体膜の小径穴または穿孔または微小孔の生成、および引き続いての、形成された微小孔を介した薬剤または他の透過物の経皮的送達のための、システムならびに方法に関する。
【背景技術】
【０００３】
角質層は、主に皮膚の障壁特性に関与する。したがって、薬剤または他の分子の体内への、および検体の体外への経皮的流動に対する最大の障壁を提示するのは、この層である。皮膚の外側の硬い層である角質層は、脂質領域によって分離される小型角化細胞残余物の複雑構造である。口腔または胃粘膜と比較して、角質層は、体外または体内のいずれの分子に対しても、透過性がはるかに低い。角質層は、ケラチン生成細胞から形成され、ケラチン生成細胞は、核を失って角質細胞になる表皮細胞の大部分を備える。これらの死細胞は、角質層を備え、それはわずか約１０〜３０ミクロンの厚さを有し、外因性物質による侵入、および内因性流体および溶質分子の体外流出から身体を保護する。角質層は、落屑中の角質層細胞の脱落、および角質化過程による新しい角質層細胞の形成によって、継続的に更新される。歴史的には、薬剤の大部分は、経口で、または注射によって送達されてきた。しかしながら、経口経路または注射経路のいずれもが、長期間にわたる薬剤の継続的送達には十分に適していない。さらに投与の注射方法は、不便かつ不快であり、加えて針は、使用後に危険をもたらし続ける。したがって、身体への経皮的薬剤送達が、生体に限定数の透過物を送達するための好評かつ有効な方法となっている。
【０００４】
経皮的薬剤送達を増進するために、薬剤に対する皮膚の透過性を増加させるための公知の方法がある。例えば、特許文献１は、生体膜に１つ以上の微小孔を形成する熱マイクロポレーション技術およびデバイス、ならびに身体からの検体の体外への流動および薬剤の体内への送達を選択的に増進するための方法を対象としている。
２０００年１月２７に公開された特許文献２は、誘起されると制御された様式で爆発し、その結果として、微小な爆発が生体膜に所望の深度および直径の人工開口部を生成する火工品要素を使用して、生体膜の選択域に人工開口部を生成するための方法および装置を対象としている。
１９９８年７月９日に公開された特許文献３は、マイクロポレーション、および音響的エネルギー、電磁的エネルギー、機械的エネルギー、熱エネルギー、または化学的増進剤のような増進剤を使用して、動物の皮膚のような生体膜の透過性を増進する方法を開示している。
マイクロポレーションを使用する送達または監視のための方法および装置はまた、１９９９年９月１０日に公開された特許文献４、特許文献５、１９９９年９月１０日に公開された特許文献６、１９９９年９月１０日に公開された特許文献７、１９９９年９月１０日に公開された特許文献８、２０００年２月３日に公開された特許文献９、２０００年２月３日に公開された特許文献１０、および２０００年３月２３日に公開された特許文献１１にも記載されている。出願人は、上記のような、本明細書で参照される全ての出版物、特許、および特許出願が、全体として本明細書において参考として援用されることを指摘する。
【０００５】
例えば、薬剤、生物活性組成物、および同等物のような透過物の経皮的送達のための、改良された方法およびデバイスに対するニーズが依然として存在する。
【先行技術文献】
【特許文献】
【０００６】
【特許文献１】米国特許第５，８８５，２１１号明細書
【特許文献２】国際公開第００／０３７５８号パンフレット
【特許文献３】国際公開第９８／２９１３４号パンフレット
【特許文献４】国際公開第９９／４４６３７号パンフレット
【特許文献５】米国特許第６，０２２，３１６号明細書
【特許文献６】国際公開第９９／４４５０８号パンフレット
【特許文献７】国際公開第９９／４４５０７号パンフレット
【特許文献８】国際公開第９９／４４６３８号パンフレット
【特許文献９】国際公開第００／０４８３２号パンフレット
【特許文献１０】国際公開第００／０４８２１号パンフレット
【特許文献１１】国際公開第００／１５１０２号パンフレット
【発明の概要】
【課題を解決するための手段】
【０００７】
本発明の一実施形態に従って、被験体の組織膜の中への少なくとも１つの透過物の、経皮的透過物送達のためのシステムおよび方法が提供される。一局面では、経皮的透過物送達システムは、使い捨て基材と、第１の解放ライナーと、第１の解放ライナーの頂面から選択的に取り外し可能なパッチとを備える。基材は、被験体の組織膜に微小孔を生成するために構成される、穿孔域を画定する。別の局面では、第１の解放ライナーの底面の少なくとも一部分が、基材の上部基材表面に接続される。さらなる例示的局面では、パッチは、裏地層と、裏地層の下面の一部分の上に取り付けられる貯蔵部（ｒｅｓｅｒｖｏｉｒ）とを備え、貯蔵部は、少なくとも１つの透過物を解放可能に含有するように構成される。パッチが第１の解放ライナーに取り付けられる、接続された位置において、裏地層の第１の部分が、基材の穿孔域から離れた位置で、第１の解放ライナーの頂面に解放可能に取り付けられる。別の局面では、裏地層の第２の部分が、パッチが接続された位置にあるときに、折り畳み位置に折り目に関して折り畳まれ、その結果として、裏地層の第２の部分の下面が、基材の上部基材表面から離れて外側を向く。
【０００８】
図面および好適な実施形態の詳細な説明を参照して、他の装置、方法、および局面、ならびに本発明の利点が議論される。
【０００９】
本明細書に組み込まれ、かつその一部を構成する添付図面は、以下に記載されるいくつかの局面を図示し、解説とともに、本発明の原理を説明するために役立つ。同じ番号は、図面全体を通して同じ要素を表す。
【図面の簡単な説明】
【００１０】
【図１】図１は、経皮的透過物送達システムの斜視図であり、使い捨て基材の一実施形態の上に取り付けられた、本発明の経皮的パッチの第１の実施形態を示す。
【図２】図２は、本発明のアプリケータの例示的実施形態の斜視図である。
【図３】図３は、図２のアプリケータに解放可能に接続された、図１の送達システムの斜視図である。
【図４】図４は、図１の経皮的パッチの第１の実施形態の分解図である。
【図５】図５は、本発明の経皮的パッチの第２の実施形態の分解図である。
【図６】図６は、本発明の経皮的パッチの第３の実施形態の分解図である。
【図７】図７は、経皮的送達システムの基材の実施形態の分解図であり、上部基材表面から外側に延在する隆起部を示す。
【図８】図８は、図７の基材の上面図である。
【図９】図９は、図８の基材の底面図である。
【図１０】図１０は、フィラメント配列の一実施形態の上面図である。
【図１１】図１１は、図１０の線１１に従って得られた、フィラメント配列の拡大断面図である。
【図１２】図１２は、図１０のフィラメント配列の斜視図である。
【図１３】図１３は、図１２の線１３に従って得られたフィラメントの断面図である。
【図１４Ａ】図１４Ａ〜図１４Ｃは、例示的な平衡フィラメント配列の概略図である。
【図１４Ｂ】図１４Ａ〜図１４Ｃは、例示的な平衡フィラメント配列の概略図である。
【図１４Ｃ】図１４Ａ〜図１４Ｃは、例示的な平衡フィラメント配列の概略図である。
【図１５】図１５は、組織膜に微小孔を形成するための例示的手段の、概略部分断面図である。
【図１６】図１６は、図１５の組織膜に微小孔を形成するための手段の、電極アセンブリの概略図である。
【図１７】図１７は、被験体の皮膚の穿孔に先立って被験体の皮膚に接続された状態で示された、図１の経皮的透過物送達システムの概略斜視図である。
【図１８】図１８は、被験体の皮膚の穿孔後に経皮的透過物送達システムの一部分から経皮的パッチが分離された状態を示す、経皮的透過物送達システムの概略斜視図である。
【図１９】図１９は、被験体の皮膚の穿孔域の位置に配置された、経皮的パッチの概略斜視図である。
【図２０】図２０は、本発明の経皮的パッチの第４の実施形態の分解図である。
【図２１】図２１は、本発明の経皮的パッチの第５の実施形態の分解図である。
【図２２】図２２は、被験体の皮膚の穿孔後に経皮的透過物送達システムの一部分から経皮的パッチが分離された状態を示す、図２１の経皮的透過物送達システムの概略斜視図である。
【図２３】図２３は、パッチの貯蔵部が形成された微小孔の位置に折り畳まれた後の経皮的パッチを示す、経皮的透過物送達システムの概略斜視図である。
【図２４】図２４は、経皮的透過物送達システムの取り外し可能な部分が、経皮的パッチから分離される状態を示す、経皮的透過物送達システムの概略斜視図である。
【図２５】図２５は、アプリケータ回路の例示的概略図を示す。
【図２６】図２６は、アプリケータのための例示的電力回路の例示的概略図を示す。
【図２７】図２７は、バイアス電力のブロック図の例示的概略図を示す。
【図２８】図２８は、マイクロプロセッサのブロック図の例示的概略図を示す。
【図２９】図２９は、真空回路のブロック図の例示的概略図を示す。
【図３０】図３０は、アプリケータの例示的なトップレベル挙動の流れ図を概略的に図示する。
【発明を実施するための形態】
【００１１】
本発明は、以下の詳細な説明、実施例、図面、および請求項、ならびにそれらの以前および以下の説明を参照することによって、容易に理解され得る。しかしながら、本デバイス、システム、および／または方法を開示および説明する前に、本発明は、特に指定されない限り、特定のデバイス、システム、および／または方法に限定されないことが理解されるべきである。また、本明細書で使用される用語は、特定の局面を説明する目的のみのためであり、限定的であることを意図しないことが理解されるべきである。
【００１２】
以下の本発明の説明は、その最善で現在知られている実施形態の形で、本発明の有効な教示として提供される。この目的のために、当業者であれば、本発明の有益な結果を依然として得ながら、本明細書に記載される本発明の種々の局面に対して多くの変更がなされ得ることを認識および理解する。また、他の特徴を利用することなく、本発明の一部の特徴を選択することによって、本発明の一部の所望の効果が得られることは明白である。故に、当業者であれば、本発明に対する多くの修正および適合が可能であり、それが、ある状況においては望ましくさえあり得て、かつ本発明の一部であることを認識する。したがって、以下の説明は、本発明の原理を例示するものとして提供され、それを限定するものとしてではない。
【００１３】
全体を通して使用される、「１つの（ａ，ａｎ）」および「その（ｔｈｅ）」の単数形は、文脈が明確に指示しない限り、複数の指示対象を含む。したがって、例えば、「１つのフィラメント（ａ  ｆｉｌａｍｅｎｔ）」の言及は、文脈が特に指示しない限り、２つ以上のそのようなフィラメントを含み得る。
【００１４】
本明細書では、「約」１つの特定値から、および／または「約」別の特定値までとして、範囲が表現され得る。そのような範囲が表現されるときには、別の局面は、１つの特定値から、および／または他の特定値までを含む。同様に、「約」という先行詞の使用によって、値が近似値として表現されるときには、特定値が別の局面を形成することが理解される。さらに、範囲のそれぞれの終点が、他の終点と関連して、および他の終点とは無関係の両方で、重要であることが理解される。
【００１５】
本明細書で使用される、「随意的な」または「随意で」の用語は、引き続いて記載されるイベントまたは状況が、発生し得るか、または発生し得ないことを意味し、その記述は、該イベントまたは状況が発生する事例、および発生しない事例を含む。
【００１６】
本明細書で使用される「組織膜」は、被験体の任意の１つ以上の表皮層であり得る。例えば、一局面では、組織膜は、皮膚の最外層、すなわち、角質層を含む皮膚層である。代替的局面では、皮膚層は、一般的に顆粒層、マルピーギ層、および基底層として識別される、表皮の１つ以上の裏地層を含み得る。表皮の裏地層を経由する透過物の輸送または吸収に対して、本質的に抵抗がほとんどないか、または全くないことが、当業者によって理解される。したがって、本発明の一局面では、被験体の皮膚層の中の少なくとも１つの形成された経路は、被験体の角質層の中の経路である。さらに、本明細書で使用される「角質層」は、種々の乾燥段階における細胞の約１５から約２０までの層から成る、皮膚の最外層を指す。角質層は、体内から外部環境への水分の損失に対する、かつ外部環境から身体の内部への攻撃からの障壁を提供する。なおもさらに、本明細書で使用される「組織膜」は、細胞間物質とともに、構造材料を形成する特定の種類の細胞の凝集体を参照し得る。組織膜の少なくとも１つの表面は、デバイスに対してアクセス可能でなければならない。前述のように、好ましい組織膜は皮膚である。本発明の使用に好適な他の組織は、粘膜組織および軟器官を含む。
【００１７】
本明細書で使用される、「皮下流体」の用語は、これに限定するものではないが、水分、血漿、血液、１つ以上のタンパク質、間質液、およびそれらの任意の組み合わせを含み得る。一局面では、本発明の皮下流体は、水を備える水分である。
本明細書で使用されるような、「穿孔（ｐｏｒａｔｉｏｎ）」、「マイクロポレーション（ｍｉｃｒｏｐｏｒａｔｉｏｎ）」、または任意のそのような類似用語は、選択された目的のために、生体膜の一方の側面から他方の側面への少なくとも１つの透過物の通過のために生体膜の障壁特性を減少させるための、組織、皮膚あるいは粘膜のような生体膜、ま_たは生体の外層の中の、またはそれを通る、小径穴または割れ目（以降、「微小孔」とも呼ばれる）の形成を意味する。好ましくは、そのように形成される穴または「微小孔」は、直径で約１〜１０００ミクロンであり、下層組織に悪影響を及ぼすことなく、角質層の障壁特性を破壊するのに十分に生体膜の中へ延在する。「微小孔」の用語は、単純化のために単数形で使用されるが、本発明のデバイスは、複数の人工開口部を形成し得ることが理解されるべきである。穿孔は、選択された目的のために、または、ある医療または外科的目的のために、体内への生体膜の障壁特性を低減し得る。この用途の目的のために、「穿孔」および「マイクロポレーション」は、互換可能に使用され、同じものを意味する。
【００１８】
「マイクロポレータ（ｍｉｃｒｏｐｏｒａｔｏｒ）」または「ポレータ（ｐｏｒａｔｏｒ）」は、マイクロポレーションが可能なマイクロポレーションデバイスの構成要素である。マイクロポレータまたはポレータの実施例は、これに限定されるものではないが、生体膜との直接接触を介して熱エネルギーを伝導的に送達し、微小孔を形成するのに十分に深く膜の一部のアブレーションを引き起こすことが可能なフィラメント、光学的に加熱される局所染料／吸収剤層、電気機械的アクチュエータ、マイクロランセット、微小針またはランセットの配列、音響エネルギーアブレータ、レーザアブレーションシステム、高圧流体ジェット穿刺器、および同等物を含む。本明細書で使用される「マイクロポレータ」および「ポレータ」は、互換可能に使用される。
【００１９】
本明細書で使用される、「貫通増進」または「透過増進」は、薬剤、生物活性組成物、または他の化学分子、化合物、粒子、または物質（「透過物」とも呼ばれる）に対する生体膜の透過性の増加を意味し、すなわち、薬剤、生物活性組成物、または他の化学分子、化合物、または粒子が生体膜を透過する速度を増加させることを意味する。
【００２０】
本明細書で使用される、「増進剤」、「化学的増進剤」、「貫通増進剤」、「透過増進剤」、および同等物は、生体膜を通過する透過物、検体、または他の分子の流動を増加させる、全ての増進剤を含み、機能性のみによって限定される。言い換えると、全ての細胞外皮障害化合物および溶媒、ならびに任意の他の化学増進剤が含まれることが意図される。加えて、音響エネルギー、機械的吸引、圧力、または組織の局所的変形、イオン導入、またはエレクトロポレーションの適用などの、全ての活性力増進技術が含まれる。１つ以上の増進技術が、順次にまたは同時に組み合わされ得る。例えば、最初に、毛細血管壁を透過性にするために化学的増進剤が塗布され得、次いで、毛細血管壁を包囲し、それを備える組織の中に透過物を活発に駆動するために、イオン導入または音響エネルギー場が印加され得る。
【００２１】
本明細書で使用される「経皮的」は、生体膜の中へ、かつそれを通過する透過物の通過を意味する。
【００２２】
本明細書で使用される、「透過物」、「薬剤」、「透過組成物」、または「薬理活性剤」の用語、または任意の他の類似用語は、所望の生物学的または薬理効果を誘発する、当技術分野において以前から公知の方法による、および／または本発明で教示される方法による経皮投与に好適な、任意の化学または生物材料あるいは化合物を参照するために互換可能に使用され、所望の生物学的または薬理効果は、（１）生体に対する予防効果を有し、感染などの望ましくない生物学的効果を予防すること、（２）疾患によって引き起こされる症状を軽減すること、例えば、疼痛または炎症を軽減すること、および／または（３）生体から疾患の軽減、低減、または完全な排除のいずれかを行うことを含み得るが、これに限定されない。効果は、局所麻酔効果を提供するように、局所的であり得、または、全身性であり得る。そのような物質は、皮膚を含む体表面および膜の通過を含んで、体内に通常送達される広い分類の化合物を含む。一般に、例えば、しかし限定的な意味ではなく、そのような物質は、所望の生物学的または薬理効果を誘発する、任意の薬剤、化学材料、または生物材料を含み得る。この目的のために、一局面では、透過物は小分子物質であり得る。別の局面では、透過物は高分子物質であり得る。一般に、限定ではなく、例示的透過物は、抗生物質および抗ウイルス薬のような抗感染薬、鎮痛剤および鎮痛剤の組み合わせ、食欲抑制薬、抗寄生虫薬、抗関節炎薬、抗喘息薬、抗凝血剤、抗痙攣剤、抗うつ剤、抗糖尿病薬、抗下痢薬、抗ヒスタミン剤、抗炎症剤、抗片頭痛製剤、制嘔吐剤、抗腫瘍薬、抗パーキンソン薬、かゆみ止め薬、抗精神病薬、解熱剤、鎮痙剤、抗コリン剤、交感神経様作用薬、キサンチン誘導体、カリウムおよびカルシウムチャネル遮断薬、ベータ遮断薬、アルファ遮断薬、および抗不整脈剤を含む心血管製剤、降圧剤、利尿薬および抗利尿薬、一般的冠状動脈、末梢血管、および脳血管を含む血管拡張剤、中枢神経系刺激薬、血管収縮剤、充血除去剤を含む咳および感冒薬、エストラジオールおよびコルチコステロイドを含む他のステロイドなどのホルモン、睡眠薬、免疫抑制薬、筋弛緩剤、副交感神経遮断薬、神経刺激薬、鎮静剤、および精神安定剤を含むが、これらに限定されない。
【００２３】
本発明のデバイスおよび方法はまた、それらのサイズのために、既存の従来技術では皮膚を通過して運搬することが困難であることが知られている、ペプチド、ポリペプチド、タンパク質、または他の高分子を、経皮的に送達するために使用され得る。これらの高分子物質は、典型的には、少なくとも約３００ダルトンの、より典型的には、約３００〜４０，０００ダルトンの範囲の分子量を有する。本発明にしたがって送達され得る、ポリペプチドおよびタンパク質の実施例は、これに限定されるものではないが、抗体、ＬＨＲＨ、ＬＨＲＨ類似体（ゴセレリン、ロイプロリド、ブセレリン、トリプトレリン、ゴナドレリン、ナファレリン、およびロイプロリドなど）、ＧＨＲＨ、ＧＨＲＦ、インスリン、インスリノトロピン、カルシトニン、オクトレオチド、エンドルフィン、ＴＲＨ、ＮＴ−３６（化学名：Ｎ−［［（ｓ）−４−オキソ−２−ゼチジニル］−カルボニル］−Ｌ−ヒスチジル−Ｌ−プロリンアミド）、リプレシン、下垂体ホルモン（例えば、ＨＧＨ、ＨＭＧ、ＨＣＧ、酢酸デスモプレシン、など）、卵胞ルテオイド、アルファＡＮＦ、解放因子などの成長因子（ＧＦＲＦ）、ベータＭＳＨ、ＧＨ、ソマトスタチン、ブラジキニン、ソマトトロピン、血小板由来成長因子、アスパラギナーゼ、硫酸ブレオマイシン、キモパパイン、コレシストキニン、絨毛性ゴナドトロピン、コルチコトロピン（ＡＣＴＨ）、エリスロポエチン、エポプロステノール（血小板凝集阻害剤）、グルカゴン、ヒルジンおよびヒルログなどのヒルジン類似体、ヒアルロニダーゼ、インターロイキン−２、メノトロピン（ウロフォリトロピン（ＦＨＳ）およびＬＨ）、オキシトシン、ストレプトキナーゼ、組織プラスミノゲン活性化剤、ウロキナーゼ、バソプレシン、デスモプレシン、ＡＣＴＨ類似体、ＡＮＰ、ＡＮＰ間隙阻害剤、アンギオテンシンＩＩ拮抗薬、抗利尿ホルモン作動薬、抗利尿ホルモン拮抗薬、ブラジキニン拮抗薬、ＣＤ４、セレダーセ、ＣＳＩ、エンケファリン、ＦＡＢ断片、ＩｇＥペプチド抑制剤、ＩＧＦ−１、神経栄養因子、コロニー刺激因子、副甲状腺ホルモンおよび作動薬、副甲状腺ホルモン拮抗薬、プロスタグランジン拮抗薬、サイトカイン、リンフォカイン、ペンチゲチド、タンパク質Ｃ、タンパク質Ｓ、レニン阻害剤、サイモシンアルファ−１、血栓溶解剤、ＴＮＦ、ＧＣＳＦ、ＥＰＯ、ＰＴＨ、３０００〜１２，０００ダルトンの分子量を有するヘパリン、ワクチン、バソプレシン拮抗薬類似体、インターフェロン−アルファ、ベータ、およびガンマ、アルファ−１アンチトリプシン（組換型）、およびＴＧＦ−ベータ遺伝子、ペプチド、ポリペプチド、タンパク質、オリゴヌクレオチド、核酸、および多糖類を含む。
【００２４】
さらに、本明細書で使用される「ペプチド」は、任意の長さのペプチドを意味し、タンパク質を含む。「ポリペプチド」および「オリゴペプチド」の用語は、特定のサイズが特に記述されない限り、特定の意図されたサイズ制限なしで、本明細書で使用される。利用され得る例示的なペプチドは、これに限定するものではないが、オキシトシン、バソプレシン、副腎皮質刺激ホルモン、上皮成長因子、プロラクチン、ルリベリンまたは黄体形成ホルモン解放ホルモン、成長ホルモン、成長ホルモン解放因子、インスリン、ソマトスタチン、グルカゴン、インターフェロン、ガストリン、テトラガストリン、ペンタガストリン、ウロガストリン、セクレチン、カルシトニン、エンケファリン、エンドルフィン、アンギオテンシン、レニン、ブラジキニン、バシトラシン、ポリミキシン、コリスチン、チロシジン、グラミシジン、および合成類似体、それらの修飾体および薬理活性断片、モノクローナル抗体および可溶性ワクチンを含む。利用され得るペプチドまたはタンパク質薬剤に対する唯一の制限は、機能性の制限であることが意図される。
【００２５】
１つ以上のアミノ基を含有するペプチドまたはタンパク質薬剤の実施例は、これに限定するものではないが、抗癌剤、抗生物質、制嘔吐剤、抗ウイルス薬、抗炎症および鎮痛剤、麻酔薬、抗潰瘍薬、高血圧を治療するための薬剤、高カルシウム血症を治療するための薬剤、高脂血症を治療するための薬剤、などを含み、そのそれぞれは、分子中に少なくとも１つの第１級、第２級、または第３級アミン基を有し、好ましくは、インスリン、カルシトニン、成長ホルモン、顆粒球コロニー刺激因子（Ｇ−ＣＳＦ）、エリスロポエチン（ＥＰＯ）、骨形態形成タンパク質（ＢＭＰ）、インターフェロン、インターロイキン、血小板由来成長因子（ＰＤＧＦ）、血管内皮成長因子（ＶＥＧＦ）、線維芽細胞成長因子（ＦＧＦ）、神経成長因子（ＮＧＦ）、ウロキナーゼ、などのようなペプチド、タンパク質、または酵素が挙げられ得る。タンパク質薬剤のさらなる実施例は、これに限定するものではないが、インスリン、アルファ、ベータ、およびガンマ−インターフェロン、ヒト成長ホルモン、アルファおよびベータ−１形質転換成長因子、顆粒球コロニー刺激因子（Ｇ−ＣＳＦ）、顆粒球マクロファージコロニー刺激因子（Ｇ−ＭＣＳＦ）、副甲状腺ホルモン（ＰＴＨ）、ヒトまたはサケカルシトニン、グルカゴン、ソマトスタチン、血管活性腸管ペプチド（ＶＩＰ）、およびＬＨＲＨ類似体を含む。
【００２６】
本明細書で使用される、薬理活性剤の「有効」量は、任意の医療的治療に伴うリーズナブルな有益性／危険性の比率のもとで、所望の局所的または全身性効果および性能を提供するのに十分な量を意味する。本明細書で使用される、透過または化学増進剤の「有効」量は、生体膜透過性の所望の増加、所望の貫通深度、投与速度、および送達される薬剤の量を提供するために選択される量を意味する。
【００２７】
本発明の実施形態が、本発明の一実施形態による方法、装置（すなわち、システム）、およびコンピュータプログラム製品のブロック図および流れ図を参照して、以下に記述される。ブロック図および流れ図の各ブロック、ならびにブロック図および流れ図のブロックの組み合わせは、それぞれ、コンピュータプログラム命令によって実装され得ることが理解される。これらのコンピュータプログラム命令は、汎用コンピュータ、専用コンピュータ、または機械を製造するための他のプログラム可能なデータ処理装置上に搭載され得、その結果として、コンピュータまたは他のプログラム可能なデータ処理装置上で実行する命令は、流れ図の１つまたは複数のブロックの特定の機能を実装するための手段を生成する。
【００２８】
これらのコンピュータプログラム命令はまた、コンピュータ可読メモリに記憶され得、それは、特定の方式で機能するようにコンピュータまたは他のプログラム可能なデータ処理装置に命令し得、その結果として、コンピュータ可読メモリに記憶された命令は、流れ図の１つまたは複数のブロックの特定の機能を実装するためのコンピュータ可読命令を含む製品を生産する。コンピュータプログラム命令はまた、コンピュータまたは他のプログラム可能なデータ処理装置上に搭載され得、一連の動作ステップをコンピュータまたは他のプログラム可能な装置上で実行させて、コンピュータ実装プロセスを生成させ、その結果として、コンピュータまたは他のプログラム可能な装置上で実行する命令は、流れ図の１つまたは複数のブロックの特定の機能を実装するためのステップを提供する。
【００２９】
故に、ブロック図および流れ図のブロックは、特定の機能を実施するための手段の組み合わせ、特定の機能を実施するためのステップの組み合わせ、および特定の機能を実施するためのプログラム命令手段を支援する。また、ブロック図および流れ図の各ブロック、ならびにブロック図および流れ図のブロックの組み合わせは、特定の機能またはステップを実施する専用ハードウェアを用いたコンピュータシステムによって、または専用ハードウェアおよびコンピュータ命令の組み合わせによって、実装され得ることが理解される。
【００３０】
図面を参照すると、経皮的透過物送達システムに対する本発明は、例えば、限定的な意味でなく、ヒト皮膚の角質層のような被験体の生体膜に、直径で約１ミクロン〜約１０００ミクロンの微視的な穴、すなわち、微小孔を無痛で生成するためのシステムおよび方法を備える。システムは、角質層の障壁機能を排除するための急速かつ無痛の方法を可能にし、治療的物質が穿孔部位に局所的に塗布されたときに、治療的物質の形成された微小孔を介した体内への経皮的輸送を促進する。
【００３１】
一実施形態では、経皮的過物送達システム１０は、アプリケータ２０と、少なくとも１つの微小孔を形成するための手段の一部分を備える基材４０と、少なくとも１つの透過物を含有するように構成される位置合わせ可能なパッチ１００とを備える。一局面では、アプリケータ２０は、内部空洞２４および少なくとも１つの微小孔を形成するための手段の一部分を画定する、本体２２を備える。この例示的局面では、アプリケータ２０の少なくとも１つの微小孔を形成するための手段の一部分は、例えば、電気回路などの駆動電子機器と、例えば、バッテリなどの電源とを備える、コントローラ２６を備え得る。この局面では、コントローラ２６は、本体の内部空洞内に配置される。例示的局面では、コントローラは、ユーザコマンドに応じて少なくとも１つの微小孔の形成を開始するように、基材４０の中に配置される少なくとも１つの微小孔を形成するための手段に、刺激を提供するように構成される。代替的局面では、アクチュエータボタン２８がシステムのユーザによって作動されると、刺激は、例えば、限定的は意味でなく、パルス電流、ＲＦパルス、および同等物のような駆動電流を備え得る。随意で、コントローラ２６は、アクチュエータボタンが押圧されると、熱パルスを提供するように構成される。
【００３２】
さらなる局面では、アプリケータ２０は、基材４０をしっかりと、かつ解放可能に取り付けるように構成される、インターフェース３０を備える。アプリケータのインターフェースは、基材がインターフェースに取り付けられるときに、少なくとも１つの微小孔を形成するための手段のそれぞれの部分と電気的に接続する、陽極３１および陰極３２を備え得る。一局面では、陽極および陰極は、アプリケータのインターフェース３０から外側に延在する。随意で、陽極および陰極は、アプリケータのインターフェースから延在して２つの露出電極を形成する、ピンであり得る。
【００３３】
別の局面では、アプリケータ２０は、例えば、真空ポンプのような真空源３３をさらに備え得る。この局面では、インターフェース３０は、真空源と接続する第１のポート３４を画定することが意図される。さらに、アプリケータ２０のインターフェース３０は、インターフェースの第１のポートの周囲に取り付けられるガスケット３６を備え得る。随意で、インターフェースは、真空センサ３７と接続する第２のポート３５を画定し得る。この局面では、それぞれ第１および第２のポートは、ガスケットによって包囲されることが意図される。
【００３４】
システムの基材４０は、上部基材表面４２と、下部基材表面４４と、画定された穿孔域４６とを備え得る。一局面では、穿孔域は、少なくとも１つの微小孔を形成するための手段の少なくとも一部分がその上に配置される、上部基材表面４２上の領域を画定する。したがって、動作中、本発明のシステムによって形成される微小孔は、基材の穿孔域の下にある組織膜の部分に限定される。
【００３５】
一局面では、基材４０は、基材の周辺縁部分５０から外側に延在する、少なくとも１つの雄型タブ４６を有し得る。さらに、基材の周辺縁の一部分は、少なくとも１つのバイアス要素５２を備え得る。一例示的局面では、少なくとも１つのバイアス要素５２は、概ね基材の平面内で連接するように配置される、少なくとも１つの部分的板バネ部材５２’、５２”を備える。随意で、少なくとも１つの雄型タブは、概ね一対のバイアス要素の間に位置するように、基材の周辺縁上に配置され得る。さらなる局面では、基材は、概ね少なくとも１つのバイアス要素とは反対に、および随意で、概ね少なくとも１つの雄型タブ４６とは反対に配置される、開口部５４を画定する。この局面では、アプリケータ２０のインターフェース３０は、基材の少なくとも１つのバイアス要素および少なくとも１つの雄型タブそれぞれを、動作可能に係合するように構成される、縁部３８および少なくとも１つのスロット３９を備える。さらなる局面では、インターフェース３０は、インターフェースの面から外側に延在する雄型指部４１を備える。この局面では、雄型指部は、概ね少なくとも１つのスロット３９とは反対に配置され得る。当業者であれば、基材４０の少なくとも１つのバイアス要素５２、少なくとも１つの雄型タブ４６、および開口部５４と、インターフェースの縁部３８、少なくとも１つのスロット３９、および雄型指部４１との間の協同関係が、アプリケータのインターフェースに基材を容易に取り付けかつ除去するユーザの能力を助長することを理解する。
【００３６】
さらなる局面では、基材４０は、下部および上部基材表面の間に延在する導管５６を画定する。この局面では、導管の開放端５８は、基材の上部基材表面４２上に形成される穿孔域４６上に画定される。別の局面では、基材４０は、上部基材表面４２上に少なくとも１つのチャネル６０を画定する。少なくとも１つのチャネルは、基材の穿孔域の中に形成されることが意図される。この局面では、少なくとも１つのチャネル６０は、導管と流体接続する。基材４０がインターフェース３０に取り付けられると、下部基材表面４４上に画定される導管の開放端５９は、インターフェースのポート３４と流体的に接続して配置されるように構成される。１つの動作局面において、および当業者であれば理解するように、ガスケット３６は、真空源３３が作動されたときに、アプリケータ２０の第１および第２のポートそれぞれと、基材の導管５６との間の流体シールを形成するのに役立つ。
【００３７】
随意で、基材４０は、一実施形態では、概ね上部基材表面から外側に延在する、上部基材表面４２上に画定される隆起部４１を備え得る。一局面では、隆起部は、基材の穿孔域の少なくとも一部分の周囲に延在する。さらなる例示的局面では、隆起部は連続的であり、穿孔域を実質的に包囲する。使用中、真空源が作動され導管およびチャネルを介して穿孔域に接続されると、例示的隆起部は、生体膜と基材との間に形成されるシール部材の役割を果たし得る。したがって、隆起部は、生体膜を、穿孔域の中に配置される少なくとも１つの微小孔を形成するための手段と、実質的に整合するように接触させるために必要とされる真空の量を最小化するのに役立ち得る。
【００３８】
さらなる局面では、基材４０は、随意で、上部基材表面の一部分の上に、基材の周辺縁の一部分から基材の穿孔域に向かって内側に延在する、雌型陥凹部４８を画定し得る。この局面では、上部基材表面における雌型陥凹部の縁は、隆起部４１を形成し得る。随意で、雌型陥凹部４８の隆起部４１の少なくとも一部分は、基材の穿孔域４６から所定の距離だけ離れて位置し得る。別の局面では、雌型陥凹部は、実質的に平面であり得る。
【００３９】
代替的局面では、少なくとも１つの微小孔を形成するための手段は、例えば、限定的な意味でなく、ワイヤ導体、堆積導電材料、機械加工導電材料、レーザ導電材料、接着フォイル、電気めっき材料、スクリーン印刷材料、およびエッチング加工導電材料、および同等物を備え得る、少なくとも１つのフィラメントを備える。さらなる局面では、少なくとも１つのフィラメントは、複数のフィラメントを有するフィラメント配列を備え得る。本発明のシステムでの使用に好適なフィラメント配列を形成するための種々の方法論が、Ｅｐｐｓｔｅｉｎらに対する米国特許第６，６９２，４５６号および第７，１４１，０３４号に記載されており、これらの特許の全ては、全体として本明細書において参考として援用される。
【００４０】
随意で、少なくとも１つの微小孔を形成するための手段は、例えば、限定的な意味でなく、Ｅｐｐｓｔｅｉｎらに対する米国特許第５，８８５，２１１号、Ｅｐｐｓｔｅｉｎらに対する米国特許第６，５２７，７１６号、および係属中の米国特許出願公開第１１／０８１，４４８号（これらの全てが、全体として本明細書において参考として援用される）に記載されているような、組織生体膜への直接接触を介して熱エネルギーを伝導的に送達し、微小孔を形成するのに十分に深い、その膜のある部分のアブレーションを引き起こすことが可能なフィラメント、組織膜への直接接触を介して電気エネルギーを送達し、その膜のある部分のアブレーションを引き起こして微小孔を形成することが可能なプローブ要素、電気機械的アプリケータ、マイクロランセット、微小針またはランセットの配列、音響エネルギーアブレータ、レーザアブレーションシステム、および高圧流体ジェット穿刺器を備え得る。
【００４１】
さらなる例示的局面において、および図１０〜図１４Ｃに示されるように、少なくとも１つの微小孔を形成するための手段は、その中に形成された複数のフィラメント７２を有する、フィラメント配列７０を備える。この局面では、各フィラメント７２は、組織生体膜への直接接触を介して熱エネルギーを伝導的に送達し、微小孔を形成するのに十分に深い、その膜のある部分のアブレーションを引き起こすように構成される。
【００４２】
一例示的局面では、フィラメント配列７０は、上部基材表面４２の一部分に取り付けられる。随意で、接着剤層７３は、上部基材表面の一部分に取り付けられ得、フィラメント配列の電気的に絶縁された部分の取り付けを可能にするように構成され、すなわち、接着剤層７３は上部基材表面と、フィラメント配列の電気的に絶縁された部分の複数部分との間に挟入される。この局面では、接着剤層７３は、基材がアプリケータに接続されるときに、陽極３１および陰極３２の通過を可能にするように構成される、一対の開口部を画定することが意図される。動作中、接着剤層７３は、フィラメント配列のそれぞれの電気的に絶縁された部分の底面の一部分、および上部基材表面の一部分に接続される。この接続は、真空が基材に供給されるときに、下部基材表面から延在する基材のポート４５（下記でさらに詳細に説明される）を通して生じる可能性のある、真空損失を最小化するように構成される。
【００４３】
別の局面では、基材４０は、穿孔域４６の中のフィラメント配列の一部分が露出されるように、フィラメント配列の頂面７１の少なくとも一部分に取り付き、かつその上に重なるように構成される、裏地７４をさらに備え得る。この局面では、フィラメント７２は、身体組織と密接に接触し得るように露出される。別の局面では、裏地７４は、フィラメント配列の複数部分を電気的に絶縁するように作用し得る。さらなる局面では、基材は、裏地とフィラメント配列との間に配置される接着剤層７６を備え得る。
【００４４】
別の例示的局面では、フィラメント配列は、基材に実質的に封入される。しかしながら、この局面では、穿孔域の中のフィラメント配列の一部分が露出されることを理解する。前述のように、フィラメントは、身体組織と密接に接触し得るように露出される。
【００４５】
さらなる局面では、フィラメント配列７０は、例えば、限定的な意味でなく、導電層８２および抵抗層８４を備える二重クラッドフォイル８０であり得る。一局面では、二重クラッドフォイルが形成される材料は、例えば、これに限定されるものではないが、アルミニウム、銅、銀、金、炭素、青銅、疑似青銅、または同等物のような導電材料、チタン、窒化チタン、タンタル、窒化タンタル、クロム、炭素化合物、タングステン、マンガン、ニクロム、ニッケル、白金、エバノーム、ポリシリコン、ステンレス鋼、または同等物のような抵抗材料を備え得る。一例示的局面では、二重クラッドフォイル８０は、銅の導電層と、ステンレス鋼の下位抵抗層とを備える。
【００４６】
一例示的局面では、フィラメント配列７０は、光化学ウェットエッチングプロセスによって形成され得、このプロセスでは、エッチレジスト、例えば、限定的な意味でなく、正または負の作用液体、ドライフィルム、または粉末レジストが、例えば、液体被覆、ラミネート加工、電着、および同等物のような従来の方法を介して、二重クラッドフォイルに選択的に塗布される。次いで、レジストで被覆されたフォイルが、負または正の光ツールを通してＵＶ光に暴露され、所望のパターンを形成する。露出域は架橋され、腐食抵抗性を有するが、非露出域は、エッチングのためにフォイルを露出するために除去され得る。
【００４７】
一実施例では、エッチングは、２ステップのプロセスである。第１のステップでは、例示的なステンレス鋼／銅の二重クラッドフォイルについて、二重クラッドフォイルの両方の金属が同時にエッチングされる。この局面では、二重クラッドフォイルのステンレス鋼側の全ての特徴が、仕様通りにエッチングされ、銅側の特徴は部分的にエッチングされる。第２のエッチングステップは、導電銅のトレースを仕様通りにエッチングし、フィラメントの背面から銅残留物の全てを実質的に除去する。第２のエッチングステップの完了時に、フィラメントは、ステンレス鋼材料で実質的に形成され、それは高い抵抗を有する。一局面では、エッチングプロセスは、フィラメントの間からの材料の全ての除去をもたらし、随意で、比較的幅の広いフィーダトレースの一部のアンダーカットを生じる。
【００４８】
随意で、光学的機械加工ステーション、あるいは、ダイアモンド研磨、電子ビームエッチング、または同等物のような他の好適なマイクロマシニング技術が、二重クラッドフォイルの導電層および抵抗層の複数部分を選択的に除去して、フィーダトレースおよびフィラメントのパターンを生成する。レーザの使用は、１つのステップしか必要とせず、抵抗層にプログラムされたパターンを急速に形成するように設計され得、この層は、一般的には導電層よりも薄く、および／またはより光吸収性であるるために、一部の用途で有利であり得る。随意で、接着フィルムが任意の層に塗布され得、材料を除去してエッチングのためのマスクを形成するために、レーザ機械加工ステーションが使用される。別の局面では、接着フィルムが二重クラッドフォイルに塗布され得、材料を除去して、マスクの露出部分の下で二重クラッドフォイルに所望のパターンをエッチングするためのマスクを形成するために、レーザ機械加工ステーションが使用される。
【００４９】
さらなる局面において、これに限定するものではないが、二重クラッドフォイル８０は、冷間圧延、低圧プロセス、減厚冷間圧延、減厚熱間圧延、爆着、めっき、および同等物によって生産され得る。二重クラッドフォイルは、約１０μｍ〜約３００μｍの間の厚さ（ｔ）寸法であり得、さらに２０、３０、４０、５０、６０、７０、８０、９０、１００、１１０、１２０、１３０、１４０、１５０、１６０、１７０、１８０、１９０、２００、２１０、２２０、２３０、２４０、２５０、２６０、２７０、２８０、および２９０μｍの公称厚さを含み、１０５μｍが１つの好ましい厚さである。一局面では、フィラメントは、実質的に均一であることが意図される。随意で、フィラメントは、非均一であり得る。さらに、フィラメントは、実質的に同じ熱質量を有することが意図される。一例示的局面では、フィラメントの縦軸に対する横方向の、各フィラメント７２の幅（ｗ）は、約３０〜１５０μｍの間の範囲にあり得、さらに３５、４０、３５、５０、５５、６５、７０、７５、８０、８５、９０、９５、１００、１０５、１１０、１１５、１２０、１２５、１３０、１３５、１４０、および１４５μｍの公称幅を含み、約４５〜５５μｍの間、または１１５〜１２５μｍの間の範囲が好ましい。同様に、別の例示的局面では、各フィラメント７４は、約２００〜７００μｍの間のフィラメントの縦軸に沿って延在する長さ（ｌ）を有し、さらに２５０、３００、３５０、４００、４５０、５００、５５０、６００、および６５０μｍの長さを含み、５００μｍの長さが好ましい。
【００５０】
随意で、ステンレス鋼の層は、二重クラッドフォイルの厚さの約５〜約２５パーセントの間を備え得、さらに６％、７％、８％、９％、１０％、１１％、１２％、１３％、１４％、１５％、１６％、１７％、１８％、１９％、２０％、２１％、２２％、２３％、および２４％の量を含み、かつこれらの値から派生する厚さの割合の任意の範囲を含む。
【００５１】
さらなる局面において、および図１４Ａ〜図１４Ｃを参照して、フィラメント配列７０は、フィラメント配列のフィラメントにエネルギーを分配するための手段を備える。一例示的局面では、フィラメントにエネルギーを分配するための手段は、少なくとも１つの電気バンク８６を備える。随意で、少なくとも１つの電気バンクは、複数の電気バンク８６'、８６"を備える。この局面では、各電気バンクは、関連するフィラメント７２を有する。エネルギーを分配するための手段の一局面では、穿孔域４６は、第１の部分と、反対および／または鏡映関係にある第２の部分とを有し、それぞれの電気バンクの複数部分は、穿孔域の第１の部分および第２の部分の両方に配置される。この実施例では、１つのバンクの複数のフィラメントが、活性穿孔域の両方の「半分」または複数部分に存在するように、バンクの形状が決定される。それぞれのバンクが活性穿孔域のそれぞれの部分の間に分配されるように、代替的形状のバンク８６が使用され得ることが理解される。当業者であれば、そのような電気バンクの使用が、個々のフィラメント組成および寸法のわずかな差異に対するフィラメント配列７０の感受性を低下させることに気付く。
【００５２】
別の局面では、基材４０は、フィラメント配列のそれぞれの電気的に絶縁された部分を露出する、下部基材表面４４における一対のポート４５を画定する。一局面では、基材がアプリケータのインターフェース３０に取り付けられるときに、ポート４５はアプリケータ２０の陽極３１および陰極３２を受け入れるように構成され、その結果として、陽極および陰極がフィラメント配列のそれぞれの電気的に絶縁された部分と接触する。したがって、基材４０がインターフェース３０上に受容されるときに、フィラメント配列７０はアプリケータ２０と電気的に接続するように配置され得、その結果として、陽極および陰極ならびに各バンク８６を介して、アプリケータからフィラメント配列７０のフィラメント７２の各々に電気エネルギーを通すことができる。
【００５３】
さらなる例示的局面において、かつ図１５および図１６に示されるように、少なくとも１つの微小孔を形成するための手段は、複数の対を成す電極を備える。この局面では、各対の電極は、組織生体膜への直接接触を介して電気エネルギーを送達し、微小孔を形成するのに十分に深い、その膜のある部分の電気アブレーションを引き起こすように構成される。例えば、米国特許第５，８８５，２１１号、第６，１４８，２３２号、第６，６１５，０７９号、および第６，７１１，４３５号（これら特許の開示は、全体として本明細書において参考として援用される）は、それぞれの電極の間の領域の組織のアブレーションを引き起こすために被験体の皮膚に加えられる電気エネルギーを、複数の電極のうちの２つ以上の間に印加するための方法およびデバイスを記載している。
【００５４】
一例示的局面では、少なくとも１つの微小孔を形成するための手段は、好ましくは被験体の皮膚の好適な領域に固定される、複数の電極に取り付け可能な制御ユニット９０をさらに備える。少なくとも１つの微小孔を形成するための手段は、角質層をアブレーションして物質が通過できるマイクロチャネルを生成する制御された電流を、複数の電極の間に通すことによって、通常は実質的に不透過性の皮膚の角質層を経由して、活性物質を投与し得る。
【００５５】
一局面では、少なくとも１つの微小孔を形成するための手段が、角質層を通して電流を流すときには、影響された組織が抵抗加熱され、その結果として、十分な量のエネルギーが短期間で通過すると、組織は、その中で消散された全エネルギーによってアブレーションされる。アブレーションは、組織にマイクロチャネルの形態の所望の微小孔を生成する。付加的な局面では、皮膚の小領域への電流の印加は、分子をイオン化または分極化する必要なく、かつ角質層の下にある真皮および表皮組織に疼痛または大きな外傷を与えることなく、大型分子でさえも比較的自由に通過できるようなサイズを有し得る、マイクロチャネルの形成を導く。
【００５６】
一局面では、制御ユニット９０は、切替ユニット９１と、バッテリ９２（リチウムコイン電池バッテリのような）と、ボタン９３および感知信号発生器９４とを備えるオプションのユーザインターフェースとを備え、ユーザインターフェースはディスプレイおよび／またはブザーを備え得る。例示された一局面では、ボタン９３は、活性物質の送達を開始し、終結する。
【００５７】
図１６は、１６個の電極を備える、電極９６の配列９５を示す。当然ながら、配列は、より小さくなり得、その一方で、より大きくなり得、より多量の活性物質が送達されることを可能にするために、例えば、５０×５０またはそれ以上となることが意図される。図示された局面では、本実施形態の電極９６は、好ましくは、８個の電極対９７として編成され、その結果として、対になった電極の１つを出る電荷のほとんどが、そのそれぞれの対の他方の電極へと進み、概して、隣接する電極対の電極には進まない。一局面では、電極対９７は、経皮的移送速度を最大化するために、密集化され得る。例えば、限定的な意味でなく、密度は、４〜１００電極セット／ｃｍ２の範囲に及び得る。さらなる局面では、電流または全電荷移動の閾値が超過され、それに応答して切替ユニット９１が電極対への電流を終結または低減させる以前に、各電極対は、一般的には、少なくとも１つのマイクロチャネルを生成する。
【００５８】
好ましくは、各電極対における電極の間の間隔は、約０．１ｍｍよりも小さいが、例えば、限定的な意味でなく、約０．１ｍｍ〜約０．３ｍｍの間の範囲に及び得る。一般に、電極対のそれぞれの電極の間の距離は、所望の電界侵入深度が達成されるように設定される。一実施例では、所望の電界侵入深度は、角質層の厚さと実質的に同じ程度であり、その結果として、電流は角質層の下にある表皮組織にほとんど進入しない。この例示的局面では、電極間隔を約０．０１ｍｍと約０．１ｍｍとの間に、さらに０．０２、０．０３、０．０４、０．０５、０．０６、０．０７、０．０８、および０．０９ｍｍを含む間隔に維持することは、角質層の中にマイクロチャネルを生成し、その一方で、神経支配のある真皮、および角質層の下の表皮組織の損傷、感覚、および／または疼痛を実質的に低減する。
【００５９】
皮膚の上に置かれた２つの電極の近くの皮膚における任意の点で、電極の間に生成される電界は、基本的に２つの成分、すなわち、概して皮膚に対して垂直な電流を引き起こす、皮膚に対して垂直な成分と、概して皮膚表面に平行な電流を引き起こす、横方向成分とを有するものと見なされ得る。比較的大きな横方向成分を有する角質層の底部の電界は、主に角質層の中で電流を発生し、下層の表皮組織の中では比較的少しの電流しか流れない。したがって、一局面では、組織アブレーションは、角質層において大部分が発生するように制限され得る。しかしながら、角質層の下の所望の侵入深度まで延在する微小孔、すなわち、この実施例ではマイクロチャネルを形成するために、少なくとも１つの微小孔を形成するための手段が使用され得ることが意図される。
【００６０】
さらなる局面では、電極配列は、角質層のアブレーションが完了するのと略同時に、切替ユニットまたは電源から断絶される。一局面では、切替ユニット９１は、電極９６への電流を監視し得、下層組織のアブレーションが発生したという判定時に、１つ以上の電極への電流を選択的に終結する。この例示的局面では、配列のすべての電極への電流は、電極配列の下の下層組織がアブレーションされたという切替ユニット９１による判定時に、実質的に終結される。
【００６１】
さらに別の局面では、基材４０は、下部基材表面４４上で画定される、少なくとも１つの雌型陥凹部１４０を画定し得る。この局面では、雌型陥凹部のうちの少なくとも１つは、アプリケータ２０のインターフェース３０上に取り付けられた一連の陥凹可能要素１４２と協同するように構成される。陥凹可能要素は、アプリケータのコントローラ基板と接続する。一例示的局面では、３つの陥凹可能要素があり、例示的動作中に、２つの雌型陥凹部を有する基材がインターフェースに取り付けられた場合には、アプリケータの陥凹可能要素のうちの１つだけが陥凹される。この実施例では、３つの陥凹可能要素のうちの１つだけの陥凹は、インターフェース上に取り付けられる基材の穿孔域のそれぞれのサイズを、コントローラ基板に電気的に伝達する。この実施例では、陥凹可能要素の選択的陥凹が、それぞれの基材の穿孔域の様々なサイズを伝達し得ることが理解される。
【００６２】
本発明のさらなる局面では、送達システム１０は、頂面１１２および反対側の底面１１４を有する、第１の解放ライナー１１０をさらに備える。一局面では、第１の解放ライナーの底面の少なくとも一部分は、上部基材表面４２の一部分に接続される。別の局面では、システムは、基材４０を第１の解放ライナー１１０と接続するために、基材４０の上面と第１の解放ライナーの底面１１４との間に置かれる、接着剤層１１６を備え得る。一局面では、第１の解放ライナーの縁部分は、基材の穿孔域から所定の距離だけ離れている。随意で、第１の解放ライナーの縁部分は、上部基材表面上に形成された隆起部の一部分に実質的に隣接して置かれる。この局面では、基材が上部基材表面の雌型陥凹部を画定する場合には、接着剤層は、雌型陥凹部の隆起部の一部分に隣接して配置され得、第１の解放ライナーの縁部分もまた、隆起部の一部分に隣接して配置され得る。さらなる局面では、パッチ１００は、第１の解放ライナーの頂面１１２から選択的に取り外し可能である。
【００６３】
さらなる局面では、パッチ１００は、裏地層１０２と、裏地層の一部分に取り付けられる貯蔵部１０４とを備え得る。貯蔵部１０４は、形成された微小孔を介した被験体の組織膜の中への送達のために、少なくとも１つの透過物を解放可能に含有するように構成される。一局面では、貯蔵部１０４は、裏地層１０２の下面１０６の一部分上に取り付けられる。図に示されるように、接続された位置において、裏地層１０２の第１の部分１０７は、基材４０の穿孔域７６とは離れた位置で、第１の解放ライナーの頂面１１２に解放可能に取り付けられる。さらに、接続された位置において、裏地層１０２の第２の部分１０８は、折り畳み位置に折り畳まれる。当業者であれば理解するように、裏地層の第２の部分１０８の下面１０６は、折り畳み位置で、基材の上部基材表面４２から離れて外側を向く。
【００６４】
さらなる局面では、パッチ１００は、パッチの裏地層の下面１０６の少なくとも一部分の上に配置される、皮膚接着剤層１０３を備え得、その結果として、パッチが被験体の組織膜に選択的かつ解放可能に取り付けられ得る。別の局面では、送達システム１０は、裏地層の第２の部分の上に配置される皮膚接着剤層１０３の一部分に解放可能に取り付け可能である、第２の解放ライナー１２０をさらに備え得る。随意で、例えば、両面接着剤および同等物のような接着固着層１０５が、フィラメント配列裏地層７４の一部分上に取り付けられ得る。この局面では、第２の解放ライナーが、皮膚接着剤層１０３および接着固着層の一部分に解放可能に取り付けられ得る。
【００６５】
第２の解放ライナー１２０は、保管中に皮膚接着剤層の露出部分を保護する、解放可能カバーを提供する。この局面では、皮膚接着剤層１０３から第２の解放ライナー１２０を除去するために必要とされる力は、第１の解放ライナーの頂面から裏地層１２０の第１の部分１０７を除去するために必要とされる力よりも小さくなることが意図される。したがって、第１の解放ライナー１１０の頂面１１２からパッチ１００を分離することなく、パッチ１００から第２の解放ライナー１２０が除去され得、皮膚接着剤層１０３の折り重ねられた部分を露出する。一局面では、第２の解放ライナー１２０の一部分の中に細隙１２２が画定され得、その結果として、下位構造に解除力を付与することなく、すなわち、第１の解放ライナー１１０の頂面１１２からパッチ１００を分離することなく、第２の解放ライナーが容易に把持され、かつ除去され得る。
【００６６】
さらなる局面では、第１の解放ライナーの頂面１１２は、その上に配置された解放被覆を有し得る。解放被覆は、例えば、限定的な意味でなく、シリコーン、白金触媒シリコーン、フルオロシリコーン、ペルフルオロカーボンベースのポリマー、および同等物を備える、任意の従来の解放被覆であり得る。
【００６７】
接続された位置において、別の局面では、裏地層１０２の第１の部分１０７は、折り畳まれて基材４０の穿孔域７６の位置に置かれる。図で例示されるように、折り目は、穿孔域から所定の距離だけ離れて位置し得る。一局面では、貯蔵部１０４の縁は、折り目に対して実質的に隣接するような距離に位置し得る。随意で、貯蔵部は、折り目から所定の距離だけ離れて位置し得る。例示された局面では、貯蔵部は、折り目の位置に置かれる。
【００６８】
ここで、図４〜図６を参照すると、接続された位置において、裏地層１０２の第１の部分１０７の一部分は、裏地層の第２の部分１０８の下にある。さらなる局面では、システム１０は、裏地層１０２の上面１０５の複数部分上に配置される、支持部材１３０を備え得る。一局面では、支持部材１３０は、縁表面１３２を有する。さらに、さらなる別の局面では、支持部材１３０は、裏地層の上面１０５の複数部分の上に解放可能に取り付けられ得、その結果として、接続された位置において、支持部材１３０は、裏地層１０２の第２の部分１０８の上面１０５と、裏地層１０２の第１の部分１０７の上面１０５の一部分との間に位置する。
【００６９】
１つの例示された局面では、支持部材１３０の縁表面１３２は、折り目に隣接して置かれる。別の局面では、支持部材は、実質的に平面の部材を備え得る。この局面では、支持部材はまた、それ自身の上に折り畳まれて縁表面を形成する一部分を備え得る。随意で、それ自身の上に折り畳まれる部分は、接着剤で定位置に固定され得る。
【００７０】
さらに別の例示的局面では、支持部材１３０は、支持部材を通って延在する少なくとも１つの穴１３６を画定し得る。この局面では、少なくとも１つの穴の位置にある裏地層の重複部分を加熱溶接することによって、支持部材は裏地層に対して選択的に固定され得る。動作中、パッチが微小孔を開けられた組織膜上で折り畳まれると、加熱溶接された「タック」が外れて、パッチの貯蔵部と組織膜の微小孔を開けられた部分との位置合わせを可能にする。
【００７１】
さらなる例示的局面では、支持部材は、裏地層の外縁を越えて延在するように構成される、一対の対向タブを画定し得る。一局面では、それぞれのタブの上にあり、かつ上部基材表面の複数部分に固定される、テープまたは同等物の使用によって、タブは上部基材表面に固定される。一局面では、それぞれのタブの上にあるテープの部分は、非接着性であり得、その結果として、それぞれのタブは、上を覆うテープに接着で接続されない。
【００７２】
別の例示的局面では、支持部材１３０は、裏地層１０２の重なり合う第１の部分および第２の部分の一部分の間に取り付けられる、接着テープ１３４をさらに備え得る。この実施例では、テープは、接続された位置において、裏地層の第２の部分１０８の上面１０５と、裏地層の第１の部分１０７の上面１０５の一部分との間に配置され得る。動作中、パッチ１００が組織膜の微小孔を開けられた部分上に折り畳まれるときには、接着テープ１３４は、裏地層１０２から解放するように構成される。
【００７３】
図２０を参照して、送達システムの代替的実施形態が概略的に図示される。この局面では、送達システム１０は、頂面１１２および反対側の底面１１４を有する、第１の解放ライナー１１０をさらに備える。一局面では、第１の解放ライナーの底面の少なくとも一部分は、裏地７４の一部分に接続される。別の局面では、システムは、裏地の上面と第１の解放ライナーの底面１１４との間に配置され、裏地７４を第１の解放ライナー１１０に接続する、接着剤層１１６を備え得る。一局面では、第１の解放ライナーの縁部分は、基材の穿孔域から所定の距離だけ離れて位置する。さらなる局面では、パッチ１００は、第１の解放ライナーの頂面１１２から選択的に取り外し可能である。
【００７４】
さらなる局面では、パッチ１００は、裏地層１０２と、裏地層の一部分に取り付けられる貯蔵部１０４とを備え得る。貯蔵部１０４は、形成された微小孔を介した被験体の組織膜の中への送達のために、少なくとも１つの透過物を解放可能に含有するように構成される。一局面では、貯蔵部１０４は、裏地層１０２の下面１０６の一部分上に取り付けられる。図に示されるように、接続された位置において、裏地層１０２の第１の部分１０７は、基材４０の穿孔域から離れた位置で、第１の解放ライナーの頂面１１２に解放可能に取り付けられる。さらに、接続された位置において、裏地層１０２の第２の部分１０８は、折り畳み位置に折り畳まれる。当業者であれば理解するように、裏地層の第２の部分１０８の下面１０６は、折り畳み位置で、基材の上部基材表面４２から離れて外側を向く。
【００７５】
さらなる局面では、パッチ１００は、パッチの裏地層の下面１０６の少なくとも一部分の上に配置される、皮膚接着剤層１０３を備え得、その結果として、パッチは、被験体の組織膜に選択的かつ解放可能に取り付けられ得る。さらなる局面では、送達システムは、裏地７４の一部分に接続される、パッチ裏地フィルム１４０をさらに備え得る。この局面では、接着剤層１４２が、パッチ裏地フィルムの裏側の第１の部分および裏地の一部分に取り付けられ得る。さらに、パッチの裏地１０２層の上面の少なくとも一部分が、パッチ裏地フィルム１４０の裏側の第２の部分に選択的に取り付けられ得ることが意図される。さらに別の局面では、送達システム１０は、パッチ裏地フィルムの表側の一部分に解放可能に取り付け可能な、第２の解放ライナー１２０をさらに備え得る。随意で、例えば、両面接着剤および同等物のような皮膚接着剤層１４４が、パッチ裏地フィルムの裏側の第１の部分の反対側の、パッチ裏地フィルムの表側の一部分と、第２の解放ライナーとの間に取り付けられ得る。別の局面では、第２の解放ライナーの一部分がまた、接続された位置において、パッチ１００の裏地層の第２の部分１０８に解放可能に接続され得る。この局面では、パッチ裏地フィルムの折り畳まれた部分の間に、接着剤層１４５が挿入され得る。
【００７６】
この局面では、皮膚接着剤層１４４から第２の解放ライナー１２０を除去するために必要とされる力は、第１の解放ライナーの頂面からパッチ裏地フィルムを除去するために必要とされる力よりも小さくなることが意図される。したがって、この局面では、第１の解放ライナー１１０の頂面１１２からパッチ１００を分離することなく、パッチ１００から第２の解放ライナー１２０が除去され得、皮膚接着剤層１０３の折り重ねられた部分を露出する。
【００７７】
さらなる局面では、第１の解放ライナーの頂面１１２は、その上に配置された解放被覆を有し得る。解放被覆は、例えば、限定的な意味でなく、シリコーン、白金触媒シリコーン、フルオロシリコーン、ペルフルオロカーボンベースのポリマー、および同等物を備える、任意の従来の解放被覆であり得る。
【００７８】
接続された位置において、別の局面では、裏地層１０２の第１の部分１０７は、折り畳まれて基材４０の穿孔域７６の位置に置かれる。図で例示されるように、折り目は、穿孔域から所定の距離だけ離れて位置し得る。一局面では、貯蔵部１０４の縁は、折り目に実質的に隣接するような距離をとり得る。随意で、貯蔵部は、折り目から所定の距離だけ離れて位置し得る。例示された局面では、貯蔵部は、折り目の位置に置かれる。
【００７９】
図２１を参照して、送達システムの代替的実施形態が部分的かつ概略的に図示される。この局面では、送達システム１０は、頂面１１２および反対側の底面１１４を有する、第１の解放ライナー１１０をさらに備える。一局面では、第１の解放ライナーの底面の少なくとも一部分は、裏地７４の一部分に接続される。別の局面では、システムは、裏地の上面と第１の解放ライナーの底面１１４との間に配置され、裏地７４を第１の解放ライナー１１０に接続する、接着剤層１１６を備え得る。一局面では、第１の解放ライナーの縁部分は、基材の穿孔域から所定の距離だけ離れて位置する。さらなる局面では、パッチ１００は、第１の解放ライナーの頂面１１２から選択的に取り外し可能である。
【００８０】
さらなる局面では、パッチ１００は、裏地層１０２と、裏地層の一部分に取り付けられる貯蔵部１０４とを備え得る。貯蔵部１０４は、形成された微小孔を介した被験体の組織膜の中への送達のために、少なくとも１つの透過物を解放可能に含有するように構成される。一局面では、貯蔵部１０４は、パッチ１００の裏地層１０２の下面１０６の一部分上に取り付けられる。図に示されるように、接続された位置において、裏地層１０２の一部分は、基材４０の穿孔域から離れた位置で、第１の解放ライナーの頂面１１２に解放可能に取り付けられる。
【００８１】
さらなる局面では、パッチ１００は、パッチの裏地層１０２の下面１０６の少なくとも一部分の上に配置される、皮膚接着剤層１０３を備え得、その結果として、パッチは、被験体の組織膜に選択的かつ解放可能に取り付けられ得る。さらなる局面では、送達システムは、第１の解放ライナーの頂面の一部分に接続される、パッチ裏地フィルム１４０をさらに備え得る。この局面では、接着剤層１４２は、パッチ裏地フィルムの裏側の第１の部分、および第１の解放ライナーの頂面の一部分に取り付けられ得る。さらに、接着剤層の裏側の一部分と第１の解放ライナー１１０の頂面との間に非ブロック化部材１４６が取り付けられ得、その結果として、第１の解放ライナー１１０から接着剤層１４２を選択的に分離することが容易になることが意図される。さらに、パッチの裏地１０２層の上面の少なくとも一部分が、パッチ裏地フィルム１４０の裏側の第２の部分に選択的に取り付けられ得ることが意図される。さらに別の局面では、送達システム１０は、パッチ裏地フィルムの表側の一部分に解放可能に取り付け可能な、第２の解放ライナー１２０をさらに備え得る。随意で、例えば、両面接着剤および同等物のような皮膚接着剤層１４４が、パッチ裏地フィルムの裏側の第１の部分の反対側の、パッチ裏地フィルムの表側の一部分と、第２の解放ライナーとの間に取り付けられ得る。
【００８２】
この例示的実施形態では、皮膚接着剤層１４４から第２の解放ライナー１２０を除去するために必要とされる力は、第１の解放ライナーの頂面からパッチ裏地フィルムを除去するために必要とされる力よりも小さくなることが意図される。したがって、第１の解放ライナー１１０の頂面１１２からパッチ１００を分離することなく、第２の解放ライナー１２０がパッチ１００から除去され得、皮膚接着剤層を露出する。
【００８３】
さらなる局面では、第１の解放ライナーの頂面１１２は、その上に配置される解放被覆を有し得る。解放被覆は、例えば、限定的な意味でなく、シリコーン、白金触媒シリコーン、フルオロシリコーン、ペルフルオロカーボンベースのポリマー、および同等物を備える、任意の従来の解放被覆であり得る。
【００８４】
接続された位置において、別の局面では、裏地層１０２は、折り畳まれて基材４０の穿孔域７６の位置に置かれる。図で例示されるように、折り目は、穿孔域から所定の距離だけ離れて位置し得る。一局面では、貯蔵部１０４の縁は、折り目に対して実質的に隣接するような距離をとり得る。随意で、貯蔵部は、折り目から所定の距離だけ離れて位置し得る。例示された局面では、貯蔵部は、折り目の位置に置かれる。
【００８５】
経皮的送達システムの例示された一局面では、貯蔵部１０４は、組織または生体膜の形成された人工開口部または微小孔を経由する被験体の中への送達のために、透過物を含有するように構成される、パッチ１００内の指定域またはチャンバを備える。一局面では、貯蔵部はまた、生物活性透過物の効果を増進する賦形剤化合物を備え得ることが意図される。加えて、種々の例示された局面において、かつ限定的な意味でなく、貯蔵部は、開放容量空間、ゲル、後続の解放または反応のために選択された化合物で被覆または処理されている平面空間、または多孔性ポリマーのような透過性固体から成り得る。
【００８６】
代替的実施形態では、貯蔵部１０４は、その中に配置された少なくとも１つの非溶解親水性透過物を備え得る。本発明の経皮的送達システムの動作を通して、貯蔵部が微小孔の位置に置かれるときには、親水性透過物は、貯蔵部の底面が被験体の皮膚層を通る少なくとも１つの形成された微小孔または経路と流体接続するときに、皮下流体と接触し得る。いったん有効量の皮下流体が送達貯蔵部と接触すると、流体は、続いて、貯蔵部に含有される透過物の少なくとも一部分を、皮膚を通って被験体の中へ経皮的に送達するための拡散経路を提供する。
【００８７】
この局面の貯蔵部１０４は、非生分解性マトリクスを備え得、それは、上記のように、その中に配置された少なくとも１つの親水性透過物をさらに備える。透過物送達貯蔵部のマトリクス構成成分は、非生分解性材料から成り、または、長期の透過物塗布期間にわたる被験体の外側皮膚層への局所塗布に対して生体適合性を有する、非生分解性材料の組み合わせから成る。非生分解性材料は、一局面では、貯蔵部の約２０重量％〜約８０重量％を占有し得、さらに貯蔵部の２５重量％、３０重量％、３５重量％、４０重量％、４５重量％、５０重量％、５５重量％、６０重量％、６５重量％、７０重量％、および７５重量％の量を含み、かつこれらの値から派生する重量パーセントの任意の範囲を含む。
【００８８】
一局面では、非生分解性マトリクスは、非生分解性ポリマー材料、またはポリマー材料の組み合わせを備え得る。一局面では、非生分解性ポリマー材料は、不水溶性または疎水性である。例えば、これに限定するものではないが、一局面では、非生分解性マトリクスは、エチレン酢酸ビニル（ＥＶＡ）共重合体、ポリエチレン、ポリアクリル酸エチル、エチレンおよびアクリル酸エチルの共重合体、ならびにそれらの任意の組み合わせを備え得る。一局面では、マトリクスは、０％から約６０％までの範囲の酢酸ビニルの相対的割合を有する、エチレン酢酸ビニル共重合体から成り、さらに酢酸ビニルの約０％、１％、５％、１０％、１５％、２０％、２５％、３０％、３５％、４０％、４５％、５０％、５５％、および６０％の割合、およびこれらの値から派生する割合の任意の範囲を含む。さらに別の局面では、エチレン酢酸ビニル共重合体は、約２８％の酢酸ビニルを備える。
【００８９】
親水性透過物は、当該分野において以前から公知の従来の方法にる投与、および／または本発明で教示される方法による投与に好適な、任意の化学または生物材料、化合物、あるいは組成物を備え得る。この目的のために、透過物は、経皮的に投与されることが所望される、任意の１つ以上の構成要素を備え得る。例えば、親水性透過物は、生物活性剤、充填材、抗治癒剤、浸透剤、および透過物の所望の経皮的送達を提供または増進するために好適な、任意の他の従来から公知の添加剤から選択され得る。一局面では、親水性透過物は、貯蔵部の約２０重量％〜約８０重量％を占有し得、さらに貯蔵部の２５重量％、３０重量％、３５重量％、４０重量％、４５重量％、５０重量％、５５重量％、６０重量％、６５重量％、７０重量％、および７５重量％の量を含み、かつこれらの値から派生する重量パーセントの任意の範囲を含む。
【００９０】
さらに別の局面では、生物活性剤は、非溶解無水親水性塩として、貯蔵部１０４内に存在し得る。そのためには、本明細書で使用される「親水性塩」および同様の用語は、これに限定するものではないが、ナトリウム、カリウム、アンモニウム、トロメタミン、またはそれらの他のカチオン塩、それらの硫酸塩または他のアニオン塩、塩基性薬剤の酸添加塩、および酸性薬剤の塩基添加塩のような、生物活性剤、薬剤、または医薬品のイオン型を含む。そのような塩の例証的な実施例は、ジクロフェナクナトリウム、クロモリンナトリウム、アシクロビルナトリウム、アンピシリンナトリウム、ワルファリンナトリウム、ケトロラクトロメタミン、塩酸アミロリド、塩酸エフェドリン、塩酸ロキサピン、塩酸チオチキセン、塩酸トリフロペラジン、塩酸ナルトレキソン、塩酸ナロキソン、塩酸ナルブフィン、塩酸ブスピロン、塩酸ブプロピオン、塩酸フェニレフリン、塩酸トラゾリン、マレイン酸クロルフェニラミン、塩酸フェニルプロパノールアミン、塩酸クロニジン、臭化水素酸デキストロメトルファン、コハク酸メトプロロール、酒石酸メトプロロール、酒石酸水素エピネフリン、フマル酸ケトチフェン、硫酸アトロピン、クエン酸フェンタニル、硫酸アポモルフィン、塩酸プロプラノロール、塩酸ピンドロール、塩酸リドカイン、塩酸テトラサイクリン、塩酸オキシテトラサイクリン、塩酸テトラカイン、塩酸ジブカイン、硫酸テルブタリン、臭化水素酸スコポラミン、マレイン酸ブロムフェニラミン、および塩酸ヒドロモルホンを含む。
【００９１】
１つ以上の生物活性剤に加えて、少なくとも１つの透過物がまた、生体適合性充填材を備え得、それは、賦形剤、含水剤、浸透剤、透過増進剤、抗治癒剤、抗凝固剤、抗炎症剤、抗菌剤、再上皮化阻害剤、亜酸化窒素産生阻害剤、メラニン形成阻害剤、投与剤、および同等物のうちの任意の１つ以上を備え得る。一局面では、生体適合性充填材は、貯蔵部の約２０重量％〜約８０重量％を占有し得、さらに貯蔵部の２５重量％、３０重量％、３５重量％、４０重量％、４５重量％、５０重量％、５５重量％、６０重量％、６５重量％、７０重量％、および７５重量％の量を含み、かつこれらの値から派生する重量パーセントの任意の範囲を含む。
【００９２】
さらに、本明細書で使用される、抗治癒剤は、例えば、抗凝血剤、抗炎症剤、細胞遊走を阻害する薬剤、再上皮化阻害剤、および浸透剤を含み得る。好適な抗凝血剤は、例えば、３，０００〜１２，０００ダルトンの分子量を有するヘパリン、多流酸ペントサン、クエン酸、クエン酸塩、ＥＤＴＡ、および２，０００〜１０，０００ダルトンの分子量を有するデキストランを備え得る。好適な抗炎症剤は、例えば、リン酸ヒドロコルチゾンナトリウム、リン酸ベタメタゾンナトリウム、およびリン酸トリアムシノロンナトリウムを備え得る。細胞遊走を阻害する好適な薬剤は、例えば、ラミニンおよび／またはその関連ペプチドを備え得る。
【００９３】
貯蔵部１０４の一実施例では、少なくとも１つの親水性透過物が、一般的には、非生分解性マトリクス内に配置あるいは装填される。この目的のために、一例示的局面では、送達貯蔵部は、その中で複数の導管を画定する底面を有するように構成され得る。この局面によれば、非溶解親水性透過物は、マトリクスの複数の導管の少なくとも一部分の中に配置され得る。かくして、例示された送達貯蔵部１０４は、皮膚から滲み出た皮下流体を使用して、マトリクス内に配置された透過物の少なくとも一部分を溶解または懸濁し、皮膚のより深い層の中への透過物の拡散または移送を可能にするように適合される。
【００９４】
様々な移送の機構が、貯蔵部から皮膚組織の中への非溶解透過物の分散および移動を達成し得る。一般に、しかし排他的にではなく、マトリクス内に配置された透過物は、微粒子形態を残し、かつ一般的には溶液または懸濁液の中に入ることによって、解放時に生体に対して利用可能となる。いったん溶液または懸濁液の形になると、拡散が、処置された外層を介して、皮膚の生存層の中へまたはそれを通過して被験体の中への、微粒子透過物の移送機構を提供し得る。プロセスが経時的に継続するにつれて、貯蔵部から出て皮膚の中へ移動する透過物によって形成される空隙は、貯蔵部の本体の中へ貫通するチャネルを形成し、それによって、最初に貯蔵部の表面に存在していたよりも多くの透過物への付加的なアクセスを提供する。故に、貯蔵部１０４を、被験体の皮膚層を通過する少なくとも１つの形成された経路と接続することによって、皮下流体は、透過物を溶解または懸濁するための有効量またはレベルの水和を貯蔵部に提供し得る。このようにして、溶液または懸濁液の形の比較的高濃度の透過物が提供され得、それはまた、皮膚の生存組織層と接続する。
【００９５】
ここで、図１７〜図１９を参照して、穿孔イベントの前に被験体の皮膚に接続された、経皮的透過物送達システムの例示された局面が示される。ここで、第２の解放ライナーは除去されており、パッチの皮膚接着剤層の一部分を露出し、それは、被験体の組織膜と接着接触して示されている。続いて、アプリケータが作動され、その結果として、基の穿孔域の下にある組織膜の領域の穿孔が発生する。１つの例示された局面では、アプリケータの作動は、電気刺激を、少なくとも１つの微小孔を形成するための手段に送達させて、下層組織膜のアブレーションを引き起こす。例えば、電気刺激は、フィラメントの抵抗加熱および下層組織膜のアブレーションを引き起こすように、フィラメント配列のフィラメントに送達され得る。さらなる局面では、使用される場合、アプリケータの作動は、真空が導管および関連チャネルを介して穿孔域に送達されるように、真空源を始動し得る。提供される真空は、組織膜を、例えば、フィラメント配列の露出部分のような穿孔域の中に取り付けられる、少なくとも１つの微小孔を形成するための手段と密接に接触させるように作用し、加えて、マイクロポレーションイベントの経過中に、アプリケータを組織膜に固定するのに役立つ働きをすることが理解される。
【００９６】
微小孔が形成された後に、および図１８に示されるように、経皮的パッチは、経皮的ポレータシステムの一部分から分離される。動作中、アプリケータが除去される際に、基材は、アプリケータのインターフェースに取り付けられたままで残留し、パッチは、第１の解放ライナーから分離する。この構成では、パッチは、第２の解放ライナーが除去された後に組織膜に以前に固定されていた裏地層の部分によって、組織膜に固定される。裏地層の現在露出されている部分および貯蔵部は、下層組織膜から外方に向き、貯蔵部が折り目の周囲で組織膜の微小孔を開けられた領域に位置するように、配置される。ここで、図１９を参照して、経皮的パッチが被験体の皮膚の微小孔を開けられた領域に位置するように、パッチは折り目に対して折り畳まれる。パッチが定位置に押圧された後に、残り得るシステムの全ての他の構成要素は除去され、貯蔵部とともにパッチだけが残される。理解されるように、次いで、透過物が、組織の穿孔域の微小孔を経由して貯蔵部から体内へ、ある期間にわたって拡散する。この期間は、特定の透過物および透過物の使用指示に応じて適切な、数分または数日であり得る。
【００９７】
ここで、図２２〜図２４を参照して、被験体の皮膚に接続された、経皮的透過物送達システムの例示された局面が示される。ここで、微小孔が形成された後、および図２２に示されるように、経皮的パッチは、経皮的ポレータシステムの一部分から分離される。動作中、アプリケータが除去される際に、基材は、アプリケータのインターフェースに取り付けられたままで残留し、パッチは、第１の解放ライナーから分離する。この構成では、皮膚接着剤層は、組織膜に固定され、パッチは、パッチ裏地フィルムを介して、形成された微小孔の位置に置かれる。したがって、裏地層の現在露出されている部分およびパッチの貯蔵部は、下層組織膜から外方に向き、貯蔵部が折り目の周囲で組織膜の微小孔を開けられた領域に位置するように、配置される。ここで、図２３を参照して、経皮的パッチが被験体の皮膚の微小孔を開けられた領域に位置するようにパッチが折り目に関して折り畳まれるように、パッチ裏地フィルムが折り畳まれる。パッチが定位置に押圧された後、および図２４に示されるように、パッチ裏地フィルム、および残り得るシステムの全ての他の構成要素は除去され、組織膜と接触している貯蔵部と共にパッチだけが残される。理解されるように、次いで、透過物が、組織の穿孔域の微小孔を経由して貯蔵部から体内へ、ある期間にわたって拡散する。前述のように、この期間は、特定の透過物および透過物の使用指示に応じて適切な、数分または数日であり得る。
【００９８】
当然ながら、図に例示されているパッチの形状は、単なる代表的な形状にすぎず、限定的な意味でないことが意図される。システムの包括的概念は、少なくとも１つの微小孔を形成するための手段の適用を助長する、整合または位置合わせ機構と、次いで微小孔が形成される領域上に透過物貯蔵部パッチを塗布する後続ステップとを提供することである。前述のように、少なくとも１つの微小孔を形成するための手段は、これに限定するものではないが、熱的、機械的、光学的、化学的、電気的、または音響的アブレーション手段を備え得る。
【００９９】
さらなる局面では、本発明の主題はまた、透過物を必要としている患者に透過物を投与するための、そのようなデバイスを使用するための方法を含む。本経皮的送達システムの設計は、フィラメント配列の適用および作動の後の穿孔された組織膜上で、パッチの貯蔵部の適切な位置合わせを確実にする。ユーザの視点から、基材がアプリケータに取り付けられ、第２の解放ライナーが除去された後に、実際には複数のステップが、アプリケータを適用し、下層組織に微小孔を形成するようにアプリケータを作動し、アプリケータを除去し（パッチの裏地層を露出するように基材および第１の解放ライナーを除去することを含む）、次いで、パッチの貯蔵部を組織膜の穿孔域の位置に置くように定位置でパッチを折り畳む、単一のステップとなり、一式の動作は密接に関連しているために、それは直ちに、心の眼の中では単一のプロセスとなる。
【０１００】
それに取り付けられる第２の解放ライナーに接続する位置に配置される、基材およびパッチは、単一フォイルパックに個別に包装され得ることが意図される。さらに、このアセンブリは、形成され、必要であれば滅菌され、次いで、密封フォイルパックの中にシールされる前に、選択された透過物で充填され（必要であれば無菌で）得ることが意図される。
【０１０１】
一局面において、および前述のように、アプリケータへのインターフェースは、アプリケータ２０が十分な電気エネルギーを選択的に送達できるようにして、患者の皮膚の外層に微小孔を生成するように構成される。本明細書で記載されるように、例えば、これに限定するものではないが、形成された微小孔は、微小孔の上に選択的に配置され得るパッチからの薬剤またはワクチンの経皮的送達を可能にする目的で、生成され得る。
【０１０２】
一局面では、アプリケータ２０およびインターフェース３０は、複数のフィラメント配列サイズを支援するように構成される。例えば、これに限定するものではないが、アプリケータは、例えば、１、２、４、および８ｃｍ２の配列サイズのような、１、２、３、４、またはそれ以上のフィラメント配列サイズを支援し得る。さらなる局面では、アプリケータ２０は、取り付けられた基材のフィラメント配列のサイズを検出するように構成され得、フィラメント配列の検出されたサイズに対して、自らを自動的に構成し得る。以下の実施例は、少なくとも１つの微小孔を形成するための手段の、フィラメント配列の実施形態に関して説明されるが、当業者であれば、説明された様式は、選択された様式に使用され得ることが意図されることを理解する。
【０１０３】
さらなる局面では、アプリケータ２０は、アプリケータのインターフェース上への基材の挿入時にオンとなるか、または電源が入るように構成され得る。別の局面では、アプリケータ２０は、基材がアプリケータのインターフェース上に取り付けられると、減圧の印加を開始するように構成され得る。この局面では、減圧の印加は、アプリケータが適切に構成されていることをアプリケータが判定すると、自動的に開始され得る。別の局面では、アプリケータは、アプリケータの電源投入を開始するための電源ボタンを有し得ることが意図される。しかしながら、随意で、アプリケータの電源投入は、アプリケータを「起動する」基材４０の挿入によって開始され得、それは次いで、例えば、これに限定するものではないが、バッテリ電圧試験のような、一連の自己試験を行い得ることが意図される。一局面では、アプリケータ２０が自己試験に合格した場合には、電源ライトが点灯され、アプリケータは、起動シーケンスのために内部で準備を行う。一局面では、起動シーケンスは、例えば、最大約２３０ボルト以下で、高電圧コンデンサを充電する。この電圧はハードウェアによって設定され、例えば、これに限定するものではないが、最大で３３０ボルトまで上昇し得る。
【０１０４】
動作中、ユーザは、塗布に際して基材を定位置に取り付け、基材は、例えば、基材がその最終取り付け位置に留められると、電気接点に係合する。一局面では、アプリケータ２０は、この間に、高電圧コンデンサを充電し続け得る。さらなる局面では、コンデンサが完全に充電されると、準備完了ライトが点灯し得る。別の局面では、準備完了ライトの点灯と共に、アプリケータは、真空パルスシーケンスを開始し得る。さらなる局面では、アプリケータは、低バッテリ表示およびエラー表示をさらに備え得る。
【０１０５】
一局面では、ユーザは、フィラメント配列を包囲する接着剤を保護する解放ライナーを除去し、適切な皮膚部位にアプリケータを置き、真空ポンプは、例えば、限定的な意味でなく、約１０インチＨｇの真空のような公称真空が達成されるまで、拍動を続ける。真空回路の例示的概略図が図２９に示される。いったん適度な真空シールが確立されると、アプリケータは、少なくとも１つの電流パルスをフィラメント配列に送るように構成され得る。本明細書で記述されるように、フィラメントは、皮膚にエネルギーの熱パルスを提供し、それは皮膚に微小孔を生成する。本明細書で例示的に図示されるように、次いで、ユーザが、アプリケータおよび基材を除去し、皮膚の微小孔を開けられた部分上に位置合わせされたパッチを折り重ねる。
【０１０６】
一例示的実施形態において、および図２５に示されるように、アプリケータの電子機器は、コントローラすなわちマイクロプロセッサ制御回路と、アプリケータ電力送達回路との、２つの機能ブロックに例示的に分割され得る。一局面では、フィラメント配列は、例えば、これに限定するものではないが、数ミリ秒間に約１２０アンペアを必要とし得る。しかしながら、他の電流レベルが随意に選択され得ることが意図される。例えば、当業者であれば理解するように、フィラメント配列サイズおよび使用特性に応じて、電流送達動作点は、フィラメント配列に送達される有効なエネルギーを調節するために、パルス幅変調を利用し得る。一局面では、ピーク電流送達は、皮膚に印加されたときのフィラメント配列のウォームアップ時間に影響を及ぼし得る。その結果として、制御された電流送達と合わせたパルス時間の全体的効果が使用され得る。さらなる局面では、アプリケータが指定されたフィラメント配列サイズを認識し、開放電気接点に起因する接点の組み合わせを拒絶することを確実にするために、付加的な「モード」接点が追加され得る。
【０１０７】
一実施形態において、および図２５に図示される回路図を参照して、定電流モードのバックコンバータが利用され得る。バッファコンデンサが、電流源エネルギーを貯蔵し、ハーフブリッジ変圧機能に供給する。この局面では、変圧器の２次コイルは、フィラメント配列回路にエネルギーを提供するように構成される。当業者であれば、例示された制御ブロックは市販の集積回路であり、回路全体はマイクロプロセッサの制御下で有効となることを理解する。例示された回路は、例えば、切替バンクを含む、いくつかの可能なフィラメント配列回路を支援する。
【０１０８】
ここで、図２６を参照して、例示的な電力回路の概略図が図示される。前述のように、エネルギーは、まず、少なくとも１つのフラッシュコンデンサに、高電圧として格納され得る。いったんコンデンサ（単数または複数）が所望の電圧に到達すると、高電流穿孔シーケンスが開始し得る。一局面では、定電流源が、高電圧コンデンサから定常電流を引き出し、このエネルギーを、少なくとも１つの順次のバッファコンデンサに一時的に貯蔵する。別の局面では、次いで、ハーフブリッジ切替モードコンバータが、インピーダンス整合機能を実行し、高電圧で中間電流のエネルギーを、フィラメント配列を駆動するために適した、非常に高電流で低電圧のエネルギーに変換する。一実施例において、限定的な意味でなく、２次電流は、約５〜１０ボルトの間で約１２０アンペアであり得る。
【０１０９】
さらなる局面において、および当業者であれば理解するように、電源、調節および分配方法が必要とされる。アプリケータ２０では、必要な内部エネルギーの全ては、ユーザによって容易に交換される、２個の３ボルトリチウムバッテリによって供給され得ることが意図される。
【０１１０】
前述のように、アプリケータ２０は、アプリケータのインターフェースへの基材の「挿入」が、アプリケータのマイクロプロセッサを「起動する」ように構成され得る。続いて、アプリケータは、３．３ボルト調節器をラッチアップし得る。この局面では、アプリケータがその意図された目的を果たしたときに、または代替案として、アプリケータがアイドル状態であることをソフトウェア生成タイムアウトが指示する場合には、マイクロプロセッサは、この制御回路をアンラッチする。随意で、例えば、これに限定的するものではないが、バッテリ切れおよび／またはソフトウェアチェックサム障害のような、特定のエラー状態がまた、ユニットを停止させるエラーをもたらし得る。
【０１１１】
マイクロプロセッサのブロック図の例示的概略図が図２８に示される。マイクロプロセッサは、これに限定するものではないが、内部電力制御、ユーザインターフェース（ボタン、ライト、および警報器）、アプリケータ電力制御、真空、開発インターフェース、製造インターフェース、および診断のような、いくつかの機能を例示的に支援する。アプリケータ駆動ソフトウェアは、多くのシステムインターフェースを支援するように構成され、アプリケータ（ハードウェアおよびソフトウェアを含む）と外部機能との間の相互作用を定義する。さらなる局面では、アプリケータは、（フィードバック回路を介して）印加電力を監視するように構成され得、印加エネルギー、すなわち、印加されたパルスの変調をリアルタイムで調整する。この局面は、フィラメント配列の電気インピーダンスの変動を調整する。
【０１１２】
識別されたシステムインターフェースは、これに限定するものではないが、機能試験、プログラミングインターフェース、およびユーザインターフェースを備え得る。一局面では、機能試験は、シリアルインターフェースが取り付けられ、有効化され、開始される場合に実行される。試験は起動診断後に、試験ユーザが開始を要求したときに開始する。一実施例では、機能試験は、機能試験の結果を示すために警報器を利用し得、音の周波数は、１（高周波数音）または０（低周波数音）を示し、バイナリフォーマットの位置依存性は、特定のモジュール試験の合格／不合格結果を識別する。結果コードがまた、シリアルインターフェースを通じて表示される。特定の試験モジュールの詳細および場所値依存性は、後に説明される。不合格を示す任意の機能試験モジュール結果に対して、ユニットは、試験コードを点滅しながら、ＦＴ不合格音を生成する。全ての機能試験モジュールが合格した場合には、プロセッサ制御ＬＥＤが何度も点滅し、その一方で、ユニットはＦＴ合格音シーケンス（４つの高周波数音）を生成する。機能試験モジュールは、以下の試験を含み得る。
【０１１３】
１．タイマ試験−タイマが進行していることを検証することによって、タイマ機能をチェックする。
【０１１４】
２．メモリ試験−メモリの中の選択された場所で書き込みおよび読み取りを行うことによって、メモリ機能を検証する。
【０１１５】
３．充電試験−１秒以内にシステムを１００Ｖまで充電することによって、充電機能を検証する。
【０１１６】
４．真空システム試験−起動を開始するための真空閾値に到達できることを検証する。
【０１１７】
５．ＡＤＣ試験−ＡＶＲＥＦを読み取ることによって、ＡＤＣ回路の機能および３．３Ｖ供給を検証する。結果は、２．５ボルトの５％以内であるべきである。
【０１１８】
６．ＰＷＭ試験−プログラムされた音の完了をチェックすることによって、ＰＷＭの機能を検証する。
【０１１９】
７．バッテリ試験−ＡＶＲＥＦ電圧が２．２５〜３．３５ボルトの間にあり、バッテリ電圧が５．８〜７．０ボルトの範囲内にあることを確認することによって、バッテリチェック回路を検証する。
【０１２０】
８．監視試験−エラーコードを機能試験モードに設定し、タイムアウトを可能にすることによって、監視タイマを検証する。
【０１２１】
９．パラメータ試験−パラメータ値が２次の場所に適合することを検証する。
【０１２２】
１０．チェックサム試験−生成された１６ビットチェックサムを保存値と比較することによって、プログラムの完全性を検証する。
【０１２３】
１１．ＣＬＫ試験は、ＣＬＫ１において１ミリ秒パルスを生成し、続いて、ＣＬＫ２において１ミリ秒パルスを生成する。試験の検証は、最終組み立ての前に行われる。
【０１２４】
１２．制御および状態信号ループバック試験−ループバック試験モードである場合に、主要から２次までの制御および状態信号の機能を検証する。
【０１２５】
マイクロプロセッサは、内部フラッシュメモリをプログラムするために、２ワイヤインターフェースを例示的に使用し得る。一局面では、インターフェースは、マイクロプロセッサがプログラミングインターフェースを感知すると、アクティブになる。当業者であれば、プログラミングインターフェースがアクティブであるときに、プロセッサは、プログラミングインターフェースの制御下にあることを理解する。
【０１２６】
一実施例では、アプリケータユーザインターフェースは、複数のプロセッサ制御ＬＥＤ、ハードウェア制御ＬＥＤ、多重音スピーカ、および電源／起動ボタンを備え得る。プロセッサ制御ＬＥＤは、バッテリ状態、エラー状態、および／または起動準備状態を示すように構成され得る。一局面では、１つのスペアのプロセッサ制御ＬＥＤがあり得る。この局面では、ハードウェア制御ＬＥＤは、システム電力状態を示すように構成され得る。警報器は、エラー、良好イベント、不良イベント、および／または情報イベントを表すために使用され得る。
【０１２７】
さらなる局面では、アプリケータ機能は、モジュールアプローチを助長するようにタスクに分割され得る、制御ソフトウェアを通じて例示的に実施され得る。例えば、タスクは以下のように分割され得る。
【０１２８】
メイン−ソフトウェアエントリポイントおよびトップレベルタスクシーケンス
初期化−デバイス初期化および起動診断
監視−起動に備えてデバイスを準備する
起動−有効な起動状態をチェックし、ポレータへのエネルギーの送達を制御する
停止−エラー状態を更新し、デバイスの電源を切る
アプリケータソフトウェアは、例えば、これに限定するものではないが、ユーザインターフェース（ＵＩ）、機能試験、エラーハンドラ、アナログデジタル変換（ＡＤＣ）、タイマ、ポートＩ／Ｏ、および／またはプログラマブルカウンタ（ＰＣＡ）のような、ハードウェアおよび内部機能にインターフェース接続する付加的なモジュラーユニットを含有し得る。
【０１２９】
図３０は、アプリケータのソフトウェアの例示的なトップレベルの挙動の流れ図を図式的に図示する。
【図１】
2014158944.tif 000003
【図２】
2014158944.tif 000004
【図３】
2014158944.tif 000005
【図４】
2014158944.tif 000006
【図５】
2014158944.tif 000007
【図６】
2014158944.tif 000008
【図７】
2014158944.tif 000009
【図８】
2014158944.tif 000010
【図９】
2014158944.tif 000011
【図１０】
2014158944.tif 000012
【図１１】
2014158944.tif 000013
【図１２】
2014158944.tif 000014
【図１３】
2014158944.tif 000015
【図１４Ａ】
2014158944.tif 000016
【図１４Ｂ】
2014158944.tif 000017
【図１４Ｃ】
2014158944.tif 000018
【図１５】
2014158944.tif 000019
【図１６】
2014158944.tif 000020
【図１７】
2014158944.tif 000021
【図１８】
2014158944.tif 000022
【図１９】
2014158944.tif 000023
【図２０】
2014158944.tif 000024
【図２１】
2014158944.tif 000025
【図２２】
2014158944.tif 000026
【図２３】
2014158944.tif 000027
【図２４】
2014158944.tif 000028
【図２５】
2014158944.tif 000029
【図２６】
2014158944.tif 000030
【図２７】
2014158944.tif 000031
【図２８】
2014158944.tif 000032
【図２９】
2014158944.tif 000033
【図３０】
2014158944.tif 000034
【手続補正書】
【提出日】平成26年5月9日(2014.5.9)
【手続補正１】
【補正対象書類名】特許請求の範囲
【補正対象項目名】全文
【補正方法】変更
【補正の内容】
【特許請求の範囲】
【請求項１】
経皮的な監視の方法であって、
生体膜に少なくとも１つの微細孔を形成する工程と、
該少なくとも１つの微細孔を通じて皮下流体を監視する工程と
を有する、前記方法。
【請求項２】
経皮的な監視システムであって、
生体膜に少なくとも１つの微細孔を形成するマイクロポレーションデバイスと、
該の微細孔を通じて皮下流体を監視する装置とを有する
前記システム。
【外国語明細書】
2014158944000001.pdf
2014158944000002.pdf
2014158944000003.pdf
2014158944000004.pdf